(57)【要約】  制御装置は、カラー液晶表示部(６)の一画面に複数のメニューを表す複数の画像を同時に表示させる選択肢同時表示制御部と、指の接触により操作されたタッチパネル(６２)から受けた操作信号に基づいて、カラー液晶表示部(６)の一画面に同時に表示した複数のメニューを表す複数の画像のうちの１つのメニュー(第１選択肢)を表す第１画像(Ｇ１１３)(第１表示位置に表示)と、複数の選択肢のうちの他のメニュー(第２選択肢)を表す第２画像(Ｇ２２４(第２表示位置に表示)とを互換して、第１画像(Ｇ１１３)を第２表示位置に表示させると共に、第２画像(Ｇ２２４)を第１表示位置に表示させる画像互換制御部を有する。簡単な操作で複数の選択肢の表示順を容易に並べ替えることができる表示装置および加熱調理器を提供する。
2012008475.tif 000002
【特許請求の範囲】
【請求項１】
タッチパネル(６２)を有する表示部(６)と、
ユーザーの指またはペン状物体の接触により上記タッチパネル(６２)が操作されたとき、上記タッチパネル(６２)から受けた操作信号に基づいて上記表示部(６)を制御する制御装置(２００)と
を備え、
上記制御装置(２００)は、
上記表示部(６)の一画面に複数の選択肢を表す複数の画像を同時に表示させる選択肢同時表示制御部(２００a)と、
上記選択肢同時表示制御部(２００a)により上記表示部(６)の一画面に同時に表示した上記複数の選択肢を表す複数の画像のうちの１つである第１選択肢を表す第１表示位置にある第１画像と、上記複数の選択肢のうちの他の選択肢である第２選択肢を表す第２表示位置にある第２画像とに、上記指または上記ペン状物体が順次接触して、上記指または上記ペン状物体が順次接触したことを表す互換操作信号を上記タッチパネル(６２)から受けると、上記第１選択肢を表す上記第１画像と上記第２選択肢を表す上記第２画像とを互換して、上記第１画像を上記第２表示位置に表示させると共に、上記第２画像を上記第１表示位置に表示させる画像互換制御部(２００c)を有することを特徴とする表示装置。
【請求項２】
請求項１に記載の表示装置において、
上記制御装置(２００)は、
上記選択肢同時表示制御部(２００a)により上記表示部(６)の一画面に同時に表示された上記複数の選択肢を表す画像のうちの１つである上記第１選択肢を表す上記第１画像に対して上記指または上記ペン状物体を接触させて、上記第１選択肢を表す上記第１画像に接触した状態で上記指または上記ペン状物体を上記表示部(６)の画面上で移動させたとき、上記タッチパネルから受けた操作信号に基づいて、上記第１選択肢を表す上記第１画像を上記表示部(６)の画面上で移動させる選択肢移動制御部(２００b)を有し、
上記画像互換制御部(２００c)は、上記選択肢移動制御部(２００b)により移動した上記第１選択肢を表す上記第１画像の主たる部分または全部が、上記複数の選択肢のうちの他の選択肢である上記第２選択肢を表す上記第２画像上に重なった状態で、上記タッチパネルから上記指または上記ペン状物体が離れたとき、上記タッチパネルから受けた上記互換操作信号に基づいて、上記第１選択肢を表す上記第１画像と上記第２選択肢を表す上記第２画像とを互換することを特徴とする表示装置。
【請求項３】
請求項１または２に記載の表示装置において、
上記第２選択肢は、要件が未登録である選択肢を含むことを特徴とする表示装置。
【請求項４】
請求項１から３までのいずれかに記載の表示装置において、
上記第１選択肢は、要件が未登録である選択肢を含まないことを特徴とする表示装置。
【請求項５】
請求項１から４までのいずれかに記載の表示装置において、
上記制御装置(２００)は、
上記タッチパネル(６２)から受けた操作信号に基づいて、上記複数の選択肢に対して、上記ユーザーのお気に入りの選択肢の要件を登録するお気に入り登録部(２００d)を有することを特徴とする表示装置。
【請求項６】
請求項１から５までのいずれか１つに記載の表示装置において、
上記選択肢移動制御部(２００b)は、
上記第１選択肢を表す画像を上記表示部(６)の画面上で移動させているとき、上記第１選択肢を表す上記第１画像が移動前の元の上記第１表示位置にあるときよりも上記第１選択肢を表す上記第１画像の表示サイズを大きくすることを特徴とする表示装置。
【請求項７】
請求項１から６までのいずれか１つに記載の表示装置において、
上記選択肢移動制御部(２００b)は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更することを特徴とする表示装置。
【請求項８】
請求項１から７までのいずれか１つに記載の表示装置において、
上記制御装置(２００)は、
上記選択肢移動制御部(２００b)により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部(２００e)を有することを特徴とする表示装置。
【請求項９】
請求項１から７までのいずれか１つに記載の表示装置において、
上記制御装置(２００)は、
上記表示部(６)の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部(２００e)を有することを特徴とする表示装置。
【請求項１０】
請求項９に記載の表示装置において、
上記枠表示制御部(２００e)は、
上記画像互換制御部(２００c)により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させることを特徴とする表示装置。
【請求項１１】
請求項１０に記載の表示装置において、
上記枠表示制御部(２００e)は、
上記互換後の上記第１選択肢を表す画像を囲む枠と、上記互換後の上記第２選択肢を表す画像を囲む枠とを、異なる色または異なるパターンの少なく一方で表示させることを特徴とする表示装置。
【請求項１２】
請求項９に記載の表示装置において、
上記タッチパネル(６２)から受けた操作信号に基づいて、上記選択肢同時表示制御部(２００a)により上記表示部(６)の一画面に画像が同時に表示される上記複数の選択肢のうちの１つの選択肢の要件を登録または変更する選択肢登録変更制御部(２００f)を備え、
上記枠表示制御部(２００e)は、
上記選択肢登録変更制御部(２００f)により上記複数の選択肢のうちの１つの選択肢の要件を登録または変更したとき、登録または変更後の上記選択肢を表す画像を囲む枠を予め設定された時間表示させることを特徴とする表示装置。
【請求項１３】
請求項１から１１までのいずれか１つに記載の表示装置において、
上記制御装置(２００)は、
上記選択肢同時表示制御部(２００a)により上記表示部(６)の一画面に画像が同時に表示される上記複数の選択肢を２以上のグループに分割して、上記タッチパネルから受けた操作信号に基づいて、上記表示部(６)の上記各グループに対応する２以上の画面を切り替えて、上記各グループの選択肢を表す画像を順次表示させるグループ表示制御部(２００g)と、
上記タッチパネルから受けた操作信号に基づいて、上記グループ表示制御部(２００g)により上記表示部(６)の上記各グループに対応する２以上の画面に画像が表示された上記各グループの選択肢に対して、要件を登録または変更する選択肢登録変更制御部(２００f)と
を有することを特徴とする表示装置。
【請求項１４】
請求項１から１３までのいずれか１つに記載の表示装置を備えたことを特徴とする加熱調理器。
【発明の詳細な説明】
【技術分野】
【０００１】
この発明は、表示装置および加熱調理器に関し、詳しくは、タッチパネルを備えた表示装置およびその表示装置を備えた加熱調理器に関する。
【背景技術】
【０００２】
従来、加熱調理器としては、サーバから調理データが通信ネットワークを介して供給されるものがある(例えば、特開２００３−５０９０７号公報(特許文献１)参照)。この加熱調理器は、記録媒体に保持された記憶データをサーバから供給された調理データと差し換える。【０００３】
しかしながら、上記加熱調理器では、サーバからの調理データと差し換えられた前の調理データは記録媒体から失われてしまうという問題がある。【０００４】
そこで、複数のメニューが調理データとして登録された加熱調理器が考えられるが、このような加熱調理器では、表示装置の画面は大きくないため、表示装置の画面に多くのメニューを同時に表示して複数のメニューから選択するということは困難である。【０００５】
特に、上記加熱調理器では、表示装置の画面が小さいために一画面上の多くのメニューを同時に表示できず、複数のメニューの表示順の並べ替えを行うことが容易にできないという問題があった。
【先行技術文献】
【特許文献】
【０００６】
【特許文献１】特開２００３−５０９０７号公報
【発明の概要】
【発明が解決しようとする課題】
【０００７】
そこで、この発明の課題は、簡単な操作で複数の選択肢の表示順を容易に並べ替えることができる表示装置および加熱調理器を提供することにある。
【課題を解決するための手段】
【０００８】
上記課題を解決するため、この発明の表示装置は、
タッチパネルを有する表示部と、
ユーザーの指またはペン状物体の接触により上記タッチパネルが操作されたとき、上記タッチパネルから受けた操作信号に基づいて上記表示部を制御する制御装置と
を備え、
上記制御装置は、
上記表示部の一画面に複数の選択肢を表す複数の画像を同時に表示させる選択肢同時表示制御部と、
上記選択肢同時表示制御部により上記表示部の一画面に同時に表示した上記複数の選択肢を表す複数の画像のうちの１つである第１選択肢を表す第１表示位置にある第１画像と、上記複数の選択肢のうちの他の選択肢である第２選択肢を表す第２表示位置にある第２画像とに、上記指または上記ペン状物体が順次接触して、上記指または上記ペン状物体が順次接触したことを表す互換操作信号を上記タッチパネルから受けると、上記第１選択肢を表す上記第１画像と上記第２選択肢を表す上記第２画像とを互換して、上記第１画像を上記第２表示位置に表示させると共に、上記第２画像を上記第１表示位置に表示させる画像互換制御部を有することを特徴とする。【０００９】
上記構成によれば、ユーザーの指またはペン状物体の接触により操作されたタッチパネルから受けた操作信号に基づいて、画像互換制御部によって、選択肢同時表示制御部により表示部の一画面に同時に表示した複数の選択肢を表す複数の画像のうちの１つである第１選択肢を表す第１画像(第１表示位置に表示)と、上記複数の選択肢のうちの他の選択肢である第２選択肢を表す第２画像(第２表示位置に表示)とを互換する。すなわち、第１表示位置に表示されていた第１画像を第２表示位置に表示させると共に、第２表示位置に表示されていた第２画像を第１表示位置に表示させる。このようにして、タッチパネルに対するユーザーの指またはペン状物体の接触による簡単な操作によって、表示部に表示された複数の選択肢の表示順を容易に並べ替えることができる。【００１０】
また、一実施形態の表示装置では、
上記制御装置は、
上記選択肢同時表示制御部により上記表示部の一画面に同時に表示された上記複数の選択肢を表す画像のうちの１つである上記第１選択肢を表す上記第１画像に対して上記指または上記ペン状物体を接触させて、上記第１選択肢を表す上記第１画像に接触した状態で上記指または上記ペン状物体を上記表示部の画面上で移動させたとき、上記タッチパネルから受けた操作信号に基づいて、上記第１選択肢を表す上記第１画像を上記表示部の画面上で移動させる選択肢移動制御部を有し、
上記画像互換制御部は、上記選択肢移動制御部により移動した上記第１選択肢を表す上記第１画像の主たる部分または全部が、上記複数の選択肢のうちの他の選択肢である上記第２選択肢を表す上記第２画像上に重なった状態で、上記タッチパネルから上記指または上記ペン状物体が離れたとき、上記タッチパネルから受けた上記互換操作信号に基づいて、上記第１選択肢を表す上記第１画像と上記第２選択肢を表す上記第２画像とを互換する。【００１１】
上記実施形態によれば、選択肢同時表示制御部により表示部の一画面に同時に表示された複数の選択肢を表す画像のうちの１つである第１選択肢を表す第１画像に対して指またはペン状物体を接触させて、第１選択肢を表す第１画像に接触した状態で指またはペン状物体を表示部の画面上で移動させたとき、タッチパネルから受けた互換操作信号に基づいて、選択肢移動制御部によって、第１選択肢を表す第１画像を表示部の画面上で移動させる。そして、選択肢移動制御部により移動した第１選択肢を表す第１画像の主たる部分または全部が、複数の選択肢のうちの他の選択肢である第２選択肢を表す第２画像上に重なった状態で、タッチパネルから指またはペン状物体が離れたとき、画像互換制御部によって、第１表示位置に表示された第１選択肢を表す第１画像と第２表示位置に表示された第２選択肢を表す第２画像とを互換する。これにより、タッチパネルに対するユーザーの指またはペン状物体の接触による簡単な操作によって、表示部に表示された複数の選択肢のうちの第１表示位置に表示された第１選択肢を表す第１画像と第２表示位置に表示された第２選択肢を表す第２画像とを容易に互換でき、この互換操作を繰り返すことで、複数の選択肢の表示順を容易に並べ替えることができる。【００１２】
また、一実施形態の表示装置では、
上記第２選択肢は、要件が未登録である選択肢を含む。【００１３】
上記実施形態によれば、複数の選択肢のうちの第１選択肢の移動先である第２選択肢は、要件が未登録であってもよく、ユーザーの指またはペン状物体の接触により操作されたタッチパネルから受けた操作信号に基づいて、表示部の一画面に同時に表示した第１選択肢を表す画像の表示位置と要件が未登録の第２選択肢を表す画像の表示位置とを入れ替え可能とする。これによって、第１選択肢の移動先の選択範囲が広がり、操作性が向上する。【００１４】
また、一実施形態の表示装置では、
上記第１選択肢は、要件が未登録である選択肢を含まない。【００１５】
上記実施形態によれば、複数の選択肢のうちの移動元である第１選択肢が、要件が未登録である選択肢を含まない、すなわち、未登録の選択肢は移動元として移動できないようにすることによって、誤った操作などによる不必要な移動を抑制でき、操作性が向上する。【００１６】
また、一実施形態の表示装置では、
上記制御装置は、
上記タッチパネルから受けた操作信号に基づいて、上記複数の選択肢に対して、上記ユーザーのお気に入りの選択肢の要件を登録するお気に入り登録部を有する。【００１７】
上記実施形態によれば、タッチパネルから受けた操作信号に基づいて、複数の選択肢に対して、お気に入り登録部によりユーザーのお気に入りの選択肢の要件を登録する。これにより、表示部の一画面に表示する複数の選択肢に対してユーザーの希望する要件を容易に登録でき、お気に入りの選択肢の中から選択される頻度の高い選択肢を登録して選び出すことが可能となるので、利便性が向上する。【００１８】
また、一実施形態の表示装置では、
上記選択肢移動制御部は、
上記第１選択肢を表す画像を上記表示部の画面上で移動させているとき、上記第１選択肢を表す上記第１画像が移動前の元の上記第１表示位置にあるときよりも上記第１選択肢を表す上記第１画像の表示サイズを大きくする。【００１９】
上記実施形態によれば、選択肢移動制御部が第１選択肢を表す画像を表示部の画面上で移動させているとき、第１選択肢を表す第１画像が移動前の元の第１表示位置にあるときよりも第１選択肢を表す第１画像の表示サイズを大きくすることによって、移動中に指またはペン状物体により一部が隠れてしまう第１選択肢を表す画像の視認性を向上できる。【００２０】
また、一実施形態の表示装置では、
上記選択肢移動制御部は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更する。【００２１】
上記実施形態によれば、移動した第１選択肢を表す第１画像の主たる部分または全部が、複数の選択肢のうちの他の選択肢である第２選択肢を表す第２画像上に重なった状態で、選択肢移動制御部により、第１選択肢を表す第１画像が重なる第２選択肢を表す第２画像の色またはコントラストの少なくとも一方を、第１選択肢を表す第１画像が重なる直前の状態とは異なる状態に変更することによって、指またはペン状物体をタッチパネルから離す前に第１選択肢を表す第１画像と入れ替わる第２選択肢を表す第２画像がどれであるかを容易に認識することが可能となり、確実な入れ替え操作が行えるので、操作性が向上する。【００２２】
また、一実施形態の表示装置では、
上記制御装置は、
上記選択肢移動制御部により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部を有する。【００２３】
上記実施形態によれば、選択肢移動制御部により移動した第１選択肢を表す第１画像の主たる部分または全部が、複数の選択肢のうちの他の選択肢である第２選択肢を表す第２画像上に重なった状態で、枠表示制御部により、第１選択肢を表す第１画像が重なる第２選択肢を表す第２画像を囲む枠を表示させることによって、指またはペン状物体をタッチパネルから離す前に第１選択肢を表す第１画像と入れ替わる第２選択肢を表す第２画像がどれであるかを容易に認識することが可能となり、確実な互換操作が行えるので、操作性が向上する。【００２４】
また、一実施形態の表示装置では、
上記制御装置は、
上記表示部の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部を有する。【００２５】
上記実施形態によれば、制御装置の枠表示制御部により、表示部の画面に表示された上記複数の選択肢を表す画像のうち、表示位置の移動,要件の登録または要件の変更が行われた選択肢を表す画像に対して、その画像を囲む枠を、表示位置の移動,要件の登録または要件の変更の完了から予め設定された時間表示させることによって、複数の選択肢を表す画像の中から表示位置の移動,要件の登録または要件の変更が行われた後の選択肢を表す画像を目で確認することができ、操作した対象を再確認することにより操作性が向上する。【００２６】
また、一実施形態の表示装置では、
上記枠表示制御部は、
上記画像互換制御部により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させる。【００２７】
上記実施形態によれば、画像互換制御部により第１選択肢を表す第１画像と第２選択肢を表す第２画像とを互換したとき、枠表示制御部により、互換後の第１選択肢を表す第１画像を囲む枠を予め設定された時間表示させると共に、互換後の第２選択肢を表す第１画像を囲む枠を予め設定された時間表示させることによって、互換後の第１,第２選択肢を表す第１,第２画像を目で確認することができ、操作した２つの対象を再確認することにより操作性が向上する。【００２８】
また、一実施形態の表示装置では、
上記枠表示制御部は、
上記互換後の上記第１選択肢を表す画像を囲む枠と、上記互換後の上記第２選択肢を表す画像を囲む枠とを、異なる色または異なるパターンの少なくとも一方で表示させる。【００２９】
上記実施形態によれば、枠表示制御部によって、互換後の第１選択肢を表す画像を囲む枠と、互換後の第２選択肢を表す画像を囲む枠とを、異なる色または異なるパターンの少なくとも一方で表示させることによって、互換後の第１選択肢を表す画像と第２選択肢を表す画像とを区別して視認でき、操作した２つの対象を再確認することにより操作性がより向上する。【００３０】
また、一実施形態の表示装置では、
上記タッチパネルから受けた操作信号に基づいて、上記選択肢同時表示制御部により上記表示部の一画面に画像が同時に表示される上記複数の選択肢のうちの１つの選択肢の要件を登録または変更する選択肢登録変更制御部を備え、
上記枠表示制御部は、
上記選択肢登録変更制御部により上記複数の選択肢のうちの１つの選択肢の要件を登録または変更したとき、登録または変更後の上記選択肢を表す画像を囲む枠を予め設定された時間表示させる。【００３１】
上記実施形態によれば、タッチパネルから受けた操作信号に基づいて、選択肢登録変更制御部によって、選択肢同時表示制御部により表示部の一画面に画像が同時に表示される複数の選択肢のうちの１つの選択肢の要件を登録または変更する。そして、上記選択肢登録変更制御部により複数の選択肢のうちの１つの選択肢の要件を登録または変更したとき、枠表示制御部により、登録または変更後の選択肢を表す画像を囲む枠を予め設定された時間表示させる。これによって、登録または変更後の選択肢を目で確認することができ、操作した対象を再確認することにより操作性がより向上する。【００３２】
また、一実施形態の表示装置では、
上記制御装置は、
上記選択肢同時表示制御部により上記表示部の一画面に画像が同時に表示される上記複数の選択肢を２以上のグループに分割して、上記タッチパネルから受けた操作信号に基づいて、上記表示部の上記各グループに対応する２以上の画面を切り替えて、上記各グループの選択肢を表す画像を表示させるグループ表示制御部と、
上記タッチパネルから受けた操作信号に基づいて、上記グループ表示制御部により上記表示部の上記各グループに対応する２以上の画面に画像が表示された上記各グループの選択肢に対して、要件を登録または変更する選択肢登録変更制御部と
を有する。【００３３】
上記実施形態によれば、選択肢同時表示制御部により表示部の一画面に画像が同時に表示される複数の選択肢を２以上のグループに分割して、タッチパネルから受けた操作信号に基づいて、グループ表示制御部により、表示部の各グループに対応する２以上の画面を切り替えて、各グループの選択肢を表す画像を順次表示させる。そして、タッチパネルから受けた操作信号に基づいて、選択肢登録変更制御部により、グループ表示制御部により表示部の各グループに対応する２以上の画面に画像が表示された各グループの選択肢に対して、要件を登録または変更する。このような、表示部の各グループに対応する２以上の画面を切り替えて、各グループの選択肢を表す画像に対して、選択肢の要件を登録または変更する表示装置において、各グループの選択肢の全てを表示部の一画面に同時に表示して、タッチパネルによる簡単な操作によって、表示部に表示された複数の選択肢の表示順を並べ替えることができる。【００３４】
また、この発明の加熱調理器では、
上記のいずれか１つに記載の表示装置を備えたことを特徴とする。【００３５】
上記構成によれば、タッチパネルに対するユーザーの指またはペン状物体の接触による簡単な操作によって、表示部に表示された複数の選択肢、例えば調理メニューの表示順を容易に並べ替えることができる。
【発明の効果】
【００３６】
以上より明らかなように、この発明の表示装置によれば、簡単な操作で複数の選択肢の表示順を容易に並べ替えることができる表示装置を実現することができる。【００３７】
また、この発明の加熱調理器によれば、簡単な操作によって、表示部に表示された複数の選択肢、例えば調理メニューの表示順を容易に並べ替えることができる加熱調理器を実現することができる。
【図面の簡単な説明】
【００３８】
【図１】図１はこの発明の実施の一形態の表示装置を備えた加熱調理器の正面斜視図である。
【図２】図２は上記加熱調理器の縦断面の模式図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶表示部にトップ操作画面が表示された操作パネルの正面図である。
【図７】図７は上記カラー液晶表示部に表示されたトップ操作画面を示す図である。
【図８】図８は上記カラー液晶表示部に表示された「わが家のお気に入り」の第１画面を示す図である。
【図９】図９は上記「わが家のお気に入り」の第２画面を示す図である。
【図１０】図１０は上記「わが家のお気に入り」の第３画面を示す図である。
【図１１】図１１は上記「わが家のお気に入り」の第４画面を示す図である。
【図１２】図１２は上記カラー液晶表示部に表示された並べ替えのための初期画面を示す図である。
【図１３】図１３は上記カラー液晶表示部に表示された特定のメニューを移動中の表示画面を示す図である。
【図１４】図１４は上記特定のメニューを移動させて他のメニューと互換した直後の表示画面を示す図である。
【図１５】図１５は図１２の表示状態から特定のメニューを移動させた状態の表示画面を示す図である。
【図１６】図１６は上記特定のメニューを移動させて未登録のものと互換した直後の表示画面を示す図である。
【図１７】図１７は上記加熱調理器の制御装置の画面制御の動作を説明するためのフローチャートである。
【図１８】図１８は図１７に続くフローチャートである。
【図１９】図１９は図１８に続くフローチャートである。
【図２０】図２０は図１９に続くフローチャートである。
【図２１】図２１は図２０に続くフローチャートである。
【図２２】図２２は上記カラー液晶表示部に表示された「天ぷらあたため」スタート時の画面を示す図である。
【発明を実施するための形態】
【００３９】
以下、この発明の表示装置および加熱調理器を図示の実施の形態により詳細に説明する。
【００４０】
図１はこの発明の実施の一形態の表示装置を備えた加熱調理器の正面斜視図を示している。
【００４１】
この実施の形態の加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００４２】
図２は上記加熱調理器の縦断面の模式図を示している。図２に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００４３】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００４４】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００４５】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００４６】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００４７】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００４８】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００４９】
また、加熱庫１３の下部にはマグネトロン８０(図５に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００５０】
また、ケーシング１内の下側には、冷却ファン部(図示せず)と、電装部品１７と、マグネトロン８０(図５に示す)を配置している。電装部品１７は、加熱調理器の各部を駆動する駆動回路やこの駆動回路を制御する制御回路等を有している。
【００５１】
図３は図１に示す操作パネル５を拡大した概略図である。
【００５２】
上記ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。
【００５３】
図４は図３のＦ４−Ｆ４線から見た模式断面図である。
【００５４】
上記カラー液晶表示部６は、カラー液晶パネル６１上にタッチパネル６２を重ねて構成されている。なお、この発明の表示部は、液晶パネルに限らず、有機ＥＬなどの他の表示デバイスを用いてもよく、カラー表示に限らず、白黒表示でもよい。
【００５５】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００５６】
図５は上記加熱調理器の制御ブロック図を示している。この加熱調理器は、マイクロコンピュータと入出力回路などからなる制御装置２００を電装品部１７(図２に示す)内に備えている。制御装置２００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置２００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００５７】
上記制御装置２００は、カラー液晶表示部６の一画面に複数のメニューを表す複数の画像を同時に表示する選択肢同時表示制御部２００aと、第１選択肢であるメニューを表す画像をカラー液晶表示部６の画面上で移動させる選択肢移動制御部２００bと、第１,第２選択肢である２つのメニューを表す画像を互換する画像互換制御部２００cと、ユーザーのお気に入りのメニューを登録するお気に入り登録部２００dと、メニューの表示位置の移動,登録または変更が完了したメニューを表す画像を囲む枠を表示する枠表示制御部２００eと、メニューを登録または変更する選択肢登録変更制御部２００fと、カラー液晶表示部６のお気に入りメニューが登録された４つのグループに対応する第１画面〜第４画面を切り替えて、各グループのメニューを表す画像を表示するグループ表示制御部２００gとを有する。この制御装置２００と操作パネル５で表示装置を構成している。
【００５８】
なお、この実施の形態では、表示部に表示される複数の選択肢として加熱調理器のメニューを説明しているが、この発明の表示装置は、選択肢として他の選択項目であってもよい。
【００５９】
上記構成の加熱調理器において、過熱蒸気によって加熱調理を行う場合には、図２に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００６０】
そして、加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００６１】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００６２】
ここで、加熱庫１３内の左壁面および右壁面には、図２に示すように、トレイ３０の両端部を係止する係止部３９a,３９b,３９cが上下方向に３段に設けられている。そして、蒸気供給管３４は、上段の係止部３９aよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００６３】
次に、「わが家のお気に入り」について操作パネル５の操作を説明する。
【００６４】
図６はトップ操作画面がカラー液晶表示部６に表示された操作パネルの正面図を示しており、図３と同一の構成部は同一参照番号を付している。また、図７は上記カラー液晶表示部６に表示されたトップ操作画面を拡大して示している。
【００６５】
図７に示すトップ操作画面は、加熱調理器の電源プラグ(図示せず)をコンセントに差し込んだ後、カラー液晶パネル６１が最初に表示する画面である。
【００６６】
上記カラー液晶パネル６１のトップ操作画面には画像Ｇ１〜Ｇ８,Ｇ９Ａ,Ｇ９Ｂが表示される。画像Ｇ１は、冷えた料理等を温めるときに選択すべき画像であり、エビフライの絵と、「あたためる」の文字とを含んでいる。画像Ｇ２は、蒸し物や煮物を作るときに選択すべき画像であり、鍋および蒸籠の絵と、「蒸す・煮る」の文字とを含んでいる。画像Ｇ３は、料理集内の３００種類以上の料理から希望の料理を探すときに選択すべき画像であり、本の絵と、「お料理集から選ぶ」の文字とを含んでいる。画像Ｇ４は、牛乳や酒を適温に温めるときに選択すべき画像であり、コップおよび徳利の絵と、「牛乳」および「酒のかん」の文字を含んでいる。画像Ｇ５は、焼き物およびフライ物を作るときに選択すべき画像であり、ローストチキンの絵と、「焼く・フライ」の文字とを含んでいる。画像Ｇ６は、健康サポートメニューを使いたいときに選択すべき画像であり、元気な人をイメージさせる絵と、「健康サポートメニュー」の文字とを含んでいる。画像Ｇ７は、我が家のお気に入りの料理を作るときに選択すべき画像であり、押しピンの絵と、「わが家のお気に入り」の文字とを含んでいる。画像Ｇ８は、冷凍食材等を解凍するときに選択すべき画像であり、雪の結晶の絵と、「解凍する」の文字とを含んでいる。
【００６７】
また、画像Ｇ９Ａは、代表的なメニューを調理するときの基本的な操作を説明する「ヘルシオ教室」を見たいときに選択すべき画像であり、画像Ｇ９Ｂは、設定やお手入れ(除菌など)を行いたいときに選択すべき画像である。ここで、「ヘルシオ教室」とは、代表的なメニューを調理するときの基本的な操作をカラー液晶表示部６に表示して説明する。
【００６８】
このような構成の初期画面が表示されているときに、ユーザーが、画像Ｇ７に重なるタッチパネル６２の一部にタッチすると、カラー液晶パネル６１の画面は初期画面から「わが家のお気に入り」画面に切り換わる。つまり、ユーザーの画像Ｇ７の選択により、カラー液晶パネル６１が図８に示す「わが家のお気に入り」画面を表示する。
【００６９】
図８はカラー液晶表示部６に表示された「わが家のお気に入り」の第１画面を示している。この「わが家のお気に入り」の第１画面は、図８に示すように、上側に４つの画像Ｇ１０(「１」),Ｇ２０(「２」),Ｇ３０(「３」),Ｇ４０(「４」)が横方向に間隔をあけて表示されている。図８では、画像Ｇ１０の「１」の背景色が他の画像Ｇ２０,Ｇ３０,Ｇ４０よりも濃く表示されて、第１画面であることを示している。また、画面の中央部の主たる部分を分割した４つのメニュー表示領域(縦２×横２)に、メニュー番号,料理名および料理の写真を含む画像Ｇ１１,Ｇ１２,Ｇ１３,Ｇ１４が夫々表示されている。図８では、４つのメニュー表示領域のうち、左上表示領域は画像Ｇ１１(メニュー番号「００２」,料理名「天ぷらあたため」)、左下表示領域は画像Ｇ１２(メニュー番号「００７」,料理名「中華まんあたため」)、右上表示領域は画像Ｇ１３(メニュー番号「００３」,料理名「フライあたため」)、右下表示領域は画像Ｇ１４(「未登録」)となっている。
【００７０】
また、上記４つのメニュー表示領域の下側に、画像Ｇ１５(「並べ替え」)、画像Ｇ１６(「登録変更」)、画像Ｇ１７(「＞」「次へ」)が横方向に並んで表示されている。
【００７１】
そして、画像Ｇ１７(「＞」「次へ」)を指でタッチして選択すると、図９に示す「わが家のお気に入り」の第２画面に表示が切り替わる。
【００７２】
図９では、画像Ｇ２０の「２」の背景色が他の画像Ｇ１０,Ｇ３０,Ｇ４０よりも濃く表示されて、第２画面であることを示している。また、図９では、４つのメニュー表示領域のうち、左上表示領域は画像Ｇ２１(メニュー番号「０７２」,料理名「蒸し青野菜」)、左下表示領域は画像Ｇ２２(メニュー番号「０１６」,料理名「鶏の照り焼き」)、右上表示領域は画像Ｇ２３(メニュー番号「０５４」,料理名「からあげ(鶏もも)」)、右下表示領域は画像Ｇ２４(メニュー番号「０４０」, 料理名「塩ざけ塩さば」)となっている。なお、上記４つのメニュー表示領域の下側に、画像Ｇ１８(「＜」「前へ」)、画像Ｇ１６(「登録変更」)、画像Ｇ１７(「＞」「次へ」)が表示されている。
【００７３】
次に、画像Ｇ１７(「＞」「次へ」)を指でタッチして選択すると、図１０に示す「わが家のお気に入り」の第３画面に表示が切り替わる。一方、画像Ｇ１８(「＜」「前へ」)を指でタッチして選択すると、図８に示す「わが家のお気に入り」の第１画面に戻る。
【００７４】
図１０では、画像Ｇ３０の「３」の背景色が他の画像Ｇ１０,Ｇ２０,Ｇ４０よりも濃く表示されて、第３画面であることを示している。また、図１０では、４つのメニュー表示領域のうち、左上表示領域は画像Ｇ３１(メニュー番号「０２９」,料理名「グラタン」)、左下表示領域は画像Ｇ３２(メニュー番号「０５１」,料理名「焼きいも」)、右上表示領域は画像Ｇ３３(メニュー番号「０６９」,料理名「とんかつ」)、右下表示領域は画像Ｇ３４(メニュー番号「１８６」,「茶わん蒸し」)となっている。
【００７５】
次に、画像Ｇ１７(「＞」「次へ」)を指でタッチして選択すると、図１１に示す「わが家のお気に入り」の第４画面に表示が切り替わる。一方、画像Ｇ１８(「＜」「前へ」)を指でタッチして選択すると、図９に示す「わが家のお気に入り」の第２画面に戻る。
【００７６】
図１１では、画像Ｇ４０の「４」の背景色が他の画像Ｇ１０,Ｇ２０,Ｇ３０よりも濃く表示されて、第４画面であることを示している。また、図１１では、４つのメニュー表示領域の画像Ｇ４１〜４４はいずれも「未登録」となっている。
【００７７】
次に、画像Ｇ１７(「＞」「次へ」)を指でタッチして選択すると、図８に示す「わが家のお気に入り」の第１画面に表示が切り替わる。一方、画像Ｇ１８(「＜」「前へ」)を指でタッチして選択すると、図１０に示す「わが家のお気に入り」の第３画面に戻る。なお、図１１に示す「わが家のお気に入り」の第４画面において、画像Ｇ１７(「＞」「次へ」)は表示せず、表示画面の変更は、画像Ｇ１８(「＜」「前へ」)の選択によって図１０に示す「わが家のお気に入り」の第３画面に戻るだけにしてもよい。
【００７８】
このようにして、この実施形態の加熱調理器では、「わが家のお気に入り」において、グループ表示制御部２００gによって、４つのグループに分けられたメニューを表す画像をカラー液晶表示部６の第１画面〜第４画面に表示し、その４メニュー／１ページの４つの画面において、選択肢登録変更制御部２００fにより最大１６通りのメニューを登録することができる。なお、１つのグループを表す１ページの表示メニュー数やページ数はこれに限らず、加熱調理器の表示部のサイズや機能に応じて適宜設定すればよい。
【００７９】
次に、図８に示す「わが家のお気に入り」の第１画面において、画像Ｇ１５(「並べ替え」)を指でタッチして選択すると、図１２に示す並べ替えのための初期画面がカラー液晶表示部６に表示される。
【００８０】
図１２では、画面の中央部の主たる部分を分割した４つのメニュー表示領域(縦２×横２)に、図８〜図１１に示した第１画面〜第４画面のメニュー番号,料理の写真が夫々表示され、料理名のみ省略されている。詳しくは、左上メニュー表示領域に図８に示した第１画面の画像Ｇ１００が表示され、その画像Ｇ１００の左上側に、第１画面のメニューであることを表す画像Ｇ１０１(「１」)が表示されている。また、右上メニュー表示領域に図９に示した第２画面の画像Ｇ２００が表示され、その画像Ｇ２００の左上側に、第２画面のメニューであることを表す画像Ｇ２０１(「２」)が表示されている。また、左下メニュー表示領域に図１０に示した第３画面の画像Ｇ３００が表示され、その画像Ｇ３００の左上側に、第３画面のメニューであることを表す画像Ｇ３０１(「３」)が表示されている。さらに、右下メニュー表示領域に図１１に示した第４画面の画像Ｇ４００が表示され、その画像Ｇ４００の左上側に、第４画面のメニューであることを表す画像Ｇ４０１(「４」)が表示されている。
【００８１】
これにより、カラー液晶表示部６の一画面に最大で１６通りのメニューを表す画像を同時に表示できる。
【００８２】
また、図１２の画面の上側には「メニューをタッチしたまま移動させると並べ替えができます」が表示され、下側には「並べ替えが終わったら「完了」を押して下さい」が表示されている。図１２に示す画面の右下側に、画像Ｇ５０(「完了」)が表示されている。
【００８３】
なお、図１２の並べ替えのための画面において、４つのメニュー表示領域に表示された１６通りのメニュー(未登録を含む)に対して、画像(「登録・変更」)を追加して登録・変更を行うようにしてもよい。
【００８４】
〔メニューの並べ替えの例〕
例えば、図１２に示す左上メニュー表示領域の右上側である第１表示位置に表示された第１画面の画像Ｇ１１３(図８における画像Ｇ１３(メニュー番号「００３」,料理名「フライあたため」))と、右上メニュー表示領域の右下側である第２表示位置に表示された第２画面の画像Ｇ２２４(図９における画像Ｇ２４(メニュー番号「０４０」,料理名「塩ざけ塩さば」))とを互換するすなわち入れ替える場合、まず、画像Ｇ１１３を指でタッチして選択した後、図１３に示すように、画像Ｇ１１３を指で押さえた状態でカラー液晶表示部６の画面上で指を移動させると、指の動きに応じて画像Ｇ１１３が移動する。
【００８５】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。この実施の形態では、移動中の画像の表示サイズは、移動前よりも縦横寸法を約１０％大きくしている。
【００８６】
次に、移動した画像Ｇ１１３の主たる部分が画像Ｇ２２４上に重なった状態で、カラー液晶表示部６から指を離すと、図１４に示すように、第１表示位置に表示された第１画像である画像Ｇ１１３と、第２表示位置に表示された第２画像である画像Ｇ２２４とが入れ替わる。すなわち、第１画像である画像Ｇ１１３が第２表示位置に表示され、第２画像である画像Ｇ２２４が第１表示位置に表示される。
【００８７】
この画像Ｇ１１３と画像Ｇ２２４とが入れ替わってから予め設定された時間(例えば０．５秒間)、画像Ｇ１１３にはオレンジ色の枠ＦＲ-orgが表示されると共に、画像Ｇ２２４には濃茶色の枠ＦＲ-brnが表示される(図１４では見やすくするために枠ＦＲ-brnを白抜きの点線で示す)。
【００８８】
これにより、どの画像とどの画像が入れ替わったのかが容易に認識できる。
【００８９】
〔メニュー並べ替えの他の例〕
また、他の入れ替え例として、図１２に示す左上メニュー表示領域に表示された第１画面の画像Ｇ１１３(図８における画像Ｇ１３(メニュー番号「００３」,料理名「フライあたため」))と、右下メニュー表示領域に表示された第４画面の画像Ｇ４４４(図１１における画像Ｇ４４(「未登録」))とを入れ替える場合、まず、画像Ｇ１１３を指でタッチして選択した後、図１５に示すように、画像Ｇ１１３を指で押さえた状態でカラー液晶表示部６の画面上で指を移動させると、指の動きに応じて画像Ｇ１１３が移動する。
【００９０】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。
【００９１】
次に、移動した画像Ｇ１１３の主たる部分が画像Ｇ４４４上に重なった状態で、カラー液晶表示部６から指を離すと、図１６に示すように、第１表示位置に表示された第１画像である画像Ｇ１１３と、第２表示位置に表示された第２画像である画像Ｇ４４４とが入れ替わって表示される。
【００９２】
この画像Ｇ１１３と画像Ｇ４４４とが入れ替わってから予め設定された時間(例えば０．５秒間)、画像Ｇ１１３にはオレンジ色の枠ＦＲ-orgが表示されると共に、画像Ｇ４４４には濃茶色の枠ＦＲ-brnが表示される(図１４では見やすくするために枠ＦＲ-brnを白抜きの点線で示す)。
【００９３】
なお、図８〜図１１の第１画面〜第４画面において、４つのメニュー表示領域に表示された画像のいずれか１つを選択し、画像Ｇ１６(「登録変更」)を指でタッチして選択すると、登録変更の処理に移る。そして、登録変更の処理では、お気に入り登録部２００dによって、例えば、登録済のメニューが選択されていて他のメニューと入れ替えて登録する場合や未登録が選択されていて新たにメニューを登録する場合は、メニュー番号やカテゴリ(材料別など)から所望のメニューを選択して「決定」(図示せず)を選択することにより登録を行う。また、登録変更の処理に移る直前に選択したメニューを削除する場合は、「削除」(図示せず)を指でタッチして選択することにより削除される。このようにして、登録変更の処理が終わると、第１画面〜第４画面のいずれかの表示に戻る。このとき、枠表示制御部２００eにより、登録または変更が完了したメニューを表す画像を囲む枠(図示せず)を予め設定された時間(例えば０．５秒間)表示する。
【００９４】
図１７〜図２１は制御装置２００の画面制御の動作を説明するためのフローチャートである。
【００９５】
この図１７〜図２１に示す画面制御は、ユーザーがお気に入りのメニューを並べ替えおよび登録・変更するための画面制御である。なお、上記画面制御は、カラー液晶パネル６１が図７に示すトップ操作画面を表示している状態でスタートするものとする。
【００９６】
まず、制御装置２００の画面制御の処理がスタートすると、図１７に示すステップＳ１において、カラー液晶パネル６１に図７に示すトップ操作画面を表示する。
【００９７】
次に、ステップＳ２に進み、選択入力の有ると判定すると、ステップＳ３に進む一方、選択入力がないと判別するとステップＳ２を繰り返す。つまり、ステップＳ２では、画像Ｇ１〜Ｇ８,Ｇ９Ａ,Ｇ９Ｂ(図７に示す)に重なるタッチパネル６２(図４に示す)の一部に対して、タッチが有ったか否かを判定する。
【００９８】
次に、ステップＳ３で「わが家のお気に入り」(画像Ｇ７)が選択されたと判定すると、ステップＳ４に進む一方、「わが家のお気に入り」以外の他の項目が選択されたと判定すると、他の選択項目の処理を行う(画像Ｇ１〜Ｇ６,Ｇ８,Ｇ９Ａ,Ｇ９Ｂ)。
【００９９】
-- 第１画面 --
次に、ステップＳ４では、図８に示す「わが家のお気に入り」の第１画面をカラー液晶パネル６１に表示する。
【０１００】
次に、ステップＳ５に進み、「＞次へ」(画像Ｇ１７)が選択されたと判定すると、図１８に示すステップＳ１１に進む一方、「＞次へ」が選択されていないと判定すると、ステップＳ６に進む。
【０１０１】
ステップＳ６で「登録変更」(画像Ｇ１６)が選択されたと判定すると、登録変更の処理に進む一方、「登録変更」が選択されていないと判定すると、ステップＳ７に進む。
【０１０２】
そして、ステップＳ７で「並べ替え」(画像Ｇ１５)が選択されたと判定すると、図２１に示すステップＳ４１に進む一方、「並べ替え」が選択されていないと判定すると、ステップＳ５に戻り、ステップＳ５〜Ｓ７を繰り返す。
【０１０３】
-- 第２画面 --
ステップＳ５において「＞次へ」(画像Ｇ１７)が選択されたと判定して、図１８に示すステップＳ１１に進むと、図９に示す「わが家のお気に入り」の第２画面をカラー液晶パネル６１に表示する。
【０１０４】
次に、ステップＳ１２に進み、「＞次へ」が選択されたと判定すると、図１９に示すステップＳ２１に進む一方、「＞次へ」が選択されていないと判定すると、ステップＳ１３に進む。
【０１０５】
ステップＳ１３で「登録変更」(画像Ｇ１６)が選択されたと判定すると、登録変更の処理に進む一方、「登録変更」が選択されていないと判定すると、ステップＳ１４に進む。
【０１０６】
そして、ステップＳ１４で「＜前へ」(画像Ｇ１８)が選択されたと判定すると、図１７に示すステップＳ４に進む一方、「＜前へ」が選択されていないと判定すると、ステップＳ１２に戻り、ステップＳ１２〜Ｓ１４を繰り返す。
【０１０７】
-- 第３画面 --
ステップＳ１２において「＞次へ」が選択されたと判定して、図１９に示すステップＳ２１に進むと、図１０に示す「わが家のお気に入り」の第３画面をカラー液晶パネル６１に表示する。
【０１０８】
次に、ステップＳ２２に進み、「＞次へ」(画像Ｇ１７)が選択されたと判定すると、図２０に示すステップＳ３１に進む一方、「＞次へ」が選択されていないと判定すると、ステップＳ２３に進む。
【０１０９】
ステップＳ２３で「登録変更」(画像Ｇ１６)が選択されたと判定すると、登録変更の処理に進む一方、「登録変更」が選択されていないと判定すると、ステップＳ２４に進む。
【０１１０】
そして、ステップＳ２４で「＜前へ」(画像Ｇ１８)が選択されたと判定すると、図１８に示すステップＳ１１に進む一方、「＜前へ」が選択されていないと判定すると、ステップＳ２２に戻り、ステップＳ２２〜Ｓ２４を繰り返す。
【０１１１】
-- 第４画面 --
ステップＳ２２において「＞次へ」が選択されたと判定して、図２０に示すステップＳ３１に進むと、図１１に示す「わが家のお気に入り」の第４画面をカラー液晶パネル６１に表示する。
【０１１２】
次に、ステップＳ３２に進み、「＞次へ」(画像Ｇ１７)が選択されたと判定すると、図１７に示すステップＳ４に戻る一方、「＞次へ」が選択されていないと判定すると、ステップＳ３３に進む。
【０１１３】
ステップＳ３３で「登録変更」(画像Ｇ１６)が選択されたと判定すると、登録変更の処理に進む一方、「登録変更」が選択されていないと判定すると、ステップＳ３４に進む。
【０１１４】
そして、ステップＳ３４で「＜前へ」(画像Ｇ１８)が選択されたと判定すると、図１９に示すステップＳ２１に進む一方、「＜前へ」が選択されていないと判定すると、ステップＳ３２に戻り、ステップＳ３２〜Ｓ３４を繰り返す。
【０１１５】
-- 並べ替えの画面 --
図１７に示すステップＳ７において「並べ替え」(画像Ｇ１５)が選択されたと判定して、図２１に示すステップＳ４１に進むと、選択肢同時表示制御部２００aによって、図１２に示す並べ替えのための初期画面をカラー液晶表示部６に表示する。
【０１１６】
次に、ステップＳ４２に進み、「完了」が選択されたと判定すると、図１７に示すステップＳ４に戻る一方、「完了」が選択されていないと判定すると、ステップＳ４３に進む。
【０１１７】
次に、ステップＳ４３でメニューの選択の有無を判定する。すなわち、カラー液晶表示部６の一画面に同時に表示された複数のメニュー(メニュー数は最大１６)を表す画像に重なるタッチパネル６２(図４に示す)の一部に対して、タッチが有ったか否かを判定する。
【０１１８】
そして、ステップＳ４３でメニューの選択が有ると判定すると、ステップＳ４４に進む一方、メニューの選択がないと判定すると、ステップＳ４２に戻る。
【０１１９】
次に、ステップＳ４４で選択されたメニュー(第１選択肢)が移動したか否かを判定する。すなわち、選択されたメニュー(第１選択肢)を表す画像に重なるタッチパネル６２(図４に示す)の一部を指で接触した状態で、カラー液晶表示部６の画面上を移動したか否かを判定する。
【０１２０】
そして、ステップＳ４４で選択されたメニューが移動したと判定すると、ステップＳ４５に進み、選択肢移動制御部２００bにより移動処理を行う。この移動処理では、選択されたメニューを表す画像が移動前の元の表示位置にあるときよりもの表示サイズを選択肢移動制御部２００bにより大きくすると共に、選択されたメニューを表す画像を囲むオレンジ色の枠ＦＲ-orgを枠表示制御部２００eにより表示する(図１３,図１５参照)。
【０１２１】
次に、ステップＳ４６に進み、移動した選択メニュー(第１選択肢)が他のメニュー(第２選択肢)に重なったか否かを判定する。ここで、移動した選択メニュー(第１選択肢)を表す画像が他の複数のメニューを表す複数の画像に同時に重なっている場合は、他の複数のメニューのうち、移動した選択メニュー(第１選択肢)を表す画像の主たる部分が重なっているメニュー(第２選択肢)が選択メニュー(第１選択肢)と重なっているものとして判定する。
【０１２２】
なお、選択メニュー(第１選択肢)を表す画像の主たる部分が重なるメニュー(第２選択肢)を表す画像は、選択肢移動制御部２００bにより、色(色相,明度,彩度)が変わるか、コントラストが変わるか、例えば網掛けなどの模様の変更などにより、他のメニューと容易に区別できるようにしてもよい。
【０１２３】
そして、ステップＳ４６で移動した選択メニューが他のメニューに重なっていると判定すると、ステップＳ４７に進む一方、移動した選択メニューが他のメニューに重なっていないと判定すると、ステップＳ５０に進む。
【０１２４】
次に、ステップＳ４７で指がタッチパネル６２から離されたと判定すると、ステップＳ４８に進む一方、指がタッチパネル６２から離されていないと判定すると、ステップＳ４５に戻る。
【０１２５】
そして、ステップＳ４８では、画像互換制御部２００cにより互換処理を行った後、ステップＳ４９に進み、枠表示制御部２００eにより枠表示を行って、ステップＳ４２に戻る。この互換処理では、移動した選択メニュー(第１選択肢)を表す第１画像と、その画像の主たる部分が重なっていた他のメニュー(第２選択肢)を表す第２画像とを互換する(図１４,図１６参照)。そして、互いに入れ替えられた選択メニュー(第１選択肢)のオレンジ色の枠ＦＲ-orgと他のメニュー(第２選択肢)の濃茶色の枠ＦＲ-brnを枠表示制御部２００eにより表示する。
【０１２６】
一方、ステップＳ４６で移動した選択メニューが他のメニューに重なっていないと判定して、ステップＳ５０に進み、指がタッチパネル６２から離されたと判定すると、ステップＳ５１に進み、元に戻す処理を行った後、ステップＳ４２に戻る。この元に戻す処理では、移動中の選択メニューを表す画像が移動前の元の表示位置に戻る。
【０１２７】
一方、ステップＳ５０で指がタッチパネル６２から離されていないと判定すると、ステップＳ４５に戻る。
【０１２８】
-- 第１画面からの調理操作の例 --
なお、図８に示す「わが家のお気に入り」の第１画面において、画像Ｇ１１(メニュー番号「００２」,料理名「天ぷらあたため」)を指でタッチして選択した後、あたためスタートキー７４を押すと、図２２に示すカラー液晶表示部６に「天ぷらあたため」スタート時の画面が表示される。
【０１２９】
この図２２に示すカラー液晶表示部６に「天ぷらあたため」スタート時の画面は、左上側に過熱蒸気を用いた加熱であることを示す「ウォーターオーブン」の文字が表示され、その横に「オーブン」の文字が表示され、さらにその下側に「天ぷらのあたため」の文字が表示されている。また、カラー液晶表示部６の画面の中央部分に画像Ｇ６１(「常温冷蔵」)と画像Ｇ６２(「冷凍」)が横方向に並んで表示されている。この「天ぷらあたため」の加熱調理では、あたためる「天ぷら」が常温または冷蔵で保存されたものか、または、冷凍されていたものかによって加熱条件を設定している。そして、この「天ぷらあたため」スタート時の初期画面では、画像Ｇ６１(「常温冷蔵」)がオレンジ色に表示され、画像Ｇ６２(「冷凍」)が白色に表示されて、「常温冷蔵」の天ぷらのあたためモードであることを示している。あたためる「天ぷら」が冷凍されていたものである場合は、画像Ｇ６２(「冷凍」)を指でタッチして選択すると、画像Ｇ６１(「常温冷蔵」)が白色に表示され、画像Ｇ６２(「冷凍」)がオレンジ色に表示されて、「冷凍」の天ぷらのあたためモードになる。
【０１３０】
また、画像Ｇ６１,Ｇ６２の下側に、加熱庫内に網が載せられたトレイを中段に装着した画像Ｇ６３が表示されている。画像Ｇ６３の左側に「中段」の文字と矢印の絵が赤色で表示されてトレイの位置が示されている。さらに、画像Ｇ６３の右側に「水タンク」の文字と水滴の絵が水色で表示され、この「天ぷらあたため」では、水タンク１１内の水を使用されることを表し、水タンク１１内の水の有無についてユーザーの注意を喚起するようにしている。
【０１３１】
そして、カラー液晶表示部６に図２２に示す「天ぷらあたため」スタート時の画面が表示された状態で、あたためスタートキー７４を押すと、過熱蒸気を用いた加熱調理が始まる。
【０１３２】
このように、選択したメニューのスタート時に「水タンク」の文字と水滴の絵が水色で表示されることによって、調理集などの本を見なくとも選択したメニューが水を用いた加熱調理であることがユーザーに容易に認識でき、水無しのまま調理をスタートすることも防止することができる。
【０１３３】
上記構成の加熱調理器に用いたれた表示装置によれば、制御装置２００によって、ユーザーの指(またはペン状物体)の接触により操作されたタッチパネル６２から受けた互換操作信号に基づいて、カラー液晶表示部６の一画面(図１２に示す並べ替えのための画面)に同時に表示した複数の選択肢である１６通りのメニューを表す複数の画像のうちの１つのメニュー(第１選択肢)を表す第１画像(第１表示位置に表示)と、上記複数のメニューのうちの他のメニュー(第２選択肢)を表す第２画像(第２表示位置に表示)とを互換する。このように、タッチパネル６２に対するユーザーの指の接触による簡単な操作によって、カラー液晶表示部６に表示された複数のメニューの表示順を容易に並べ替えることができる。
【０１３４】
また、選択肢同時表示制御部２００aによりカラー液晶表示部６の画面に表示された複数のメニューを表す画像のうちの１つのメニュー(第１選択肢)を表す第１画像に対して指を接触させて、メニュー(第１選択肢)を表す第１画像に接触した状態で指をカラー液晶表示部６の画面上で移動させたとき、タッチパネル６２から受けた互換操作信号に基づいて、選択肢移動制御部２００bによって、メニュー(第１選択肢)を表す第１画像をカラー液晶表示部６の画面上で移動させる。そして、選択肢移動制御部２００bにより移動したメニュー(第１選択肢)を表す第１画像の主たる部分が、複数のメニューのうちの他のメニュー(第２選択肢)を表す第２画像上に重なった状態で、タッチパネル６２から指が離れたとき、画像互換制御部２００cによって、第１表示位置に表示されたメニュー(第１選択肢)を表す第１画像と第２表示位置に表示されたメニュー(第２選択肢)を表す第２画像とを互換する。これにより、タッチパネル６２に対するユーザーの指の接触による簡単な操作によって、カラー液晶表示部６に表示された複数のメニューのうちの第１表示位置に表示された第１選択肢のメニューを表す第１画像と第２表示位置に表示された第２選択肢のメニューを表す第２画像とを容易に互換でき、この互換操作を繰り返すことで、複数の選択肢の表示順を容易に並べ替えることができる。
【０１３５】
なお、移動中のメニュー(第１選択肢)を表す第１画像のサイズを変えない場合は、メニュー(第１選択肢)を表す第１画像の主たる部分だけでなく、メニュー(第１選択肢)を表す第１画像の全部が他のメニュー(第２選択肢)を表す第２画像上に重なった状態で表示位置を入れ替えるようにしてもよい。
【０１３６】
また、複数のメニューのうちのメニュー(第１選択肢)の移動先であるメニュー(第２選択肢)は、選択肢の要件が未登録であってもよく、ユーザーの指の接触により操作されたタッチパネル６２から受けた互換操作信号に基づいて、カラー液晶表示部６の一画面に同時に表示したメニュー(第１選択肢)を表す第１画像の表示位置と要件が未登録のメニュー(第２選択肢)を表す第２画像とを入れ替え可能とする。これによって、第１選択肢のメニューの移動先の選択範囲が広がり、操作性が向上する。
【０１３７】
また、複数のメニューのうちの移動元である第１選択肢のメニューが、要件が未登録である選択肢を含まない、すなわち、未登録のメニューは移動元として移動できないようにすることによって、誤った操作などによる不必要な移動を抑制でき、操作性が向上する。
【０１３８】
また、タッチパネル６２から受けた操作信号に基づいて、ユーザーがお気に入りのメニューを登録・変更するための「わが家のお気に入り」の第１画面〜第４画面に表示される複数のメニュー表示領域に対して、お気に入り登録部２００dによりユーザーのお気に入りのメニューの要件を登録する。これにより、カラー液晶表示部６の一画面に表示する複数のメニュー表示領域に対してユーザーの希望するメニューを容易に登録でき、お気に入りの選択肢の中から選択される頻度の高い選択肢を登録して選び出すことが可能となるので、利便性が向上する。
【０１３９】
また、選択肢移動制御部２００bが第１選択肢のメニューを表す第１画像をカラー液晶表示部６の画面上で移動させているとき、第１選択肢のメニューを表す第１画像が移動前の元の第１表示位置にあるときよりも第１選択肢のメニューを表す第１画像の表示サイズを大きくすることによって、移動中に指により一部が隠れてしまう第１選択肢のメニューを表す第１画像の視認性を向上できる。
【０１４０】
また、移動した第１選択肢のメニューを表す第１画像の主たる部分または全部が、複数の選択肢のうちの他の第２選択肢であるメニューを表す第２画像上に重なった状態で、選択肢移動制御部２００bにより、第１選択肢のメニューを表す第１画像が重なる第２選択肢のメニューを表す第２画像の色またはコントラストの少なくとも一方を、第１選択肢のメニューを表す第１画像が重なる直前の状態とは異なる状態に変更することによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４１】
また、移動した第１選択肢のメニューを表す第１画像の主たる部分(または全部)が、複数の選択肢のうちの他の第２選択肢であるメニューを表す第２画像上に重なった状態で、枠表示制御部２００eにより、第１選択肢のメニューを表す第１画像が重なる第２選択肢のメニューを表す第２画像を囲む枠を表示するようにしてもよい。これによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４２】
なお、第２選択肢のメニューを表す第２画像を囲む枠を表示するのと同時に、第２選択肢のメニューを表す第２画像の色またはコントラストの少なくとも１つを、第１選択肢のメニューを表す第１画像が重なる直前の状態とは異なる状態に変更してもよい。
【０１４３】
また、枠表示制御部２００eにより、カラー液晶表示部６の画面に表示された複数のメニューを表す画像のうち、表示位置の移動,要件の登録または要件の変更が行われたメニュー(またはメニュー表示領域)を表す画像に対して、その画像を囲む枠を、表示位置の移動,要件の登録または要件の変更の完了から予め設定された時間表示することによって、複数のメニューを表す画像の中から表示位置の移動,要件の登録または要件の変更が行われた後のメニューを表す画像を目で確認することができ、操作した対象を再確認することにより操作性が向上する。
【０１４４】
また、画像互換制御部２００cにより第１選択肢のメニューを表す第１画像と第２選択肢のメニューを表す第２画像とを互換したとき、枠表示制御部２００eにより、互換後の第１選択肢のメニューを表す第１画像を囲む枠(図１４,図１６のＦＲ-org)を予め設定された時間表示すると共に、互換後の第２選択肢のメニューを表す第２画像を囲む枠(図１４,図１６のＦＲ-brn)を予め設定された時間表示することによって、互換後の第１,第２選択肢のメニューを表す第１,第２画像を目で確認することができ、操作した２つの対象を再確認することにより操作性が向上する。
【０１４５】
また、枠表示制御部２００eによって、互換後の第１選択肢のメニューを表す第１画像を囲む枠(図１４,図１６のＦＲ-org)と、互換後の第２選択肢のメニューを表す第２画像を囲む枠(図１４,図１６のＦＲ-brn)とを、異なる色で表示することによって、互換後の第１選択肢のメニューを表す第１画像と第２選択肢のメニューを表す第２画像とを区別して視認でき、操作した２つの対象を再確認することにより操作性がより向上する。
【０１４６】
なお、互換後の第１選択肢のメニューを表す第１画像を囲む枠と、互換後の第２選択肢のメニューを表す第２画像を囲む枠とを、異なるパターンの少なくとも一方で表示してもよいし、異なる色と異なるパターンとを組み合わせても同様の効果が得られる。
【０１４７】
また、タッチパネル６２から受けた操作信号に基づいて、選択肢登録変更制御部２００fによって、選択肢同時表示制御部２００aによりカラー液晶表示部６の一画面に画像が同時に表示される複数のメニューに対して、図８〜図１１の第１画面〜第２画面において登録または変更したとき、枠表示制御部２００eにより、登録または変更後のメニューを表す画像を囲む枠を予め設定された時間表示することによって、登録または変更後のメニューを目で確認することができ、操作した対象を再確認することにより操作性がより向上する。
【０１４８】
また、選択肢同時表示制御部２００aによりカラー液晶表示部６の一画面に画像が同時に表示される１６通りのメニューを４つのグループに分割して、タッチパネル６２から受けた操作信号に基づいて、グループ表示制御部２００gにより、カラー液晶表示部６の各グループに対応する第１画面〜第４画面を切り替えて、各グループのメニューを表す画像を順次表示する。そして、タッチパネル６２から受けた操作信号に基づいて、選択肢登録変更制御部２００fにより、グループ表示制御部２００gによりカラー液晶表示部６の各グループに対応する第１画面〜第４画面に画像が表示された各グループのメニューに対して、要件を登録または変更する。このような表示装置において、各グループのメニューの全てをカラー液晶表示部６の一画面(図１２に示す並べ替えのための初期画面)に同時に表示して、タッチパネル６２による簡単な操作によって、カラー液晶表示部６に表示された複数のメニューの表示順を並べ替えることができる。
【０１４９】
また、上記構成の加熱調理器によれば、タッチパネル６２に対するユーザーの指の接触による簡単な操作によって、カラー液晶表示部６に表示された複数のメニューの表示順を容易に並べ替えることができる。
【０１５０】
また、上記加熱調理器では、お気に入りメニュー等の予め加熱調理器本体に登録された調理メニューを実行する際に、加熱時間や加熱出力などの各設定条件を適宜変更して実行することが可能となっている。この加熱調理器において、各設定条件を変更して調理を行った調理の終了後に、各設定条件を変更した修正調理条件を本体に保存するかどうかをユーザーに確認する画面にカラー液晶表示部６の画面が遷移する。それによって、各設定条件を変更して行った調理の結果が気に入った場合には、次に同じ調理メニューを選択する際に、修正調理条件を一度の操作で選択可能としており、利便性が向上する。
【０１５１】
上記実施の形態では、加熱調理器に備えられた表示装置について説明したが、表示装置はこれに限らず、他の電子装置などにこの発明の表示装置を適用してもよい。
【０１５２】
また、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【０１５３】
この発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば２〜３％)である状態を指す。
【０１５４】
この発明の具体的な実施の形態について説明したが、この発明は上記実施の形態に限定されるものではなく、この発明の範囲内で種々変更して実施することができる。
【符号の説明】
【０１５５】
１…ケーシング
２…扉
３…ハンドル
４…耐熱ガラス
５…操作パネル
６…カラー液晶表示部
７…ボタン群
８…排気ダクト
９…露受容器
１１…水タンク
１２…蒸気発生装置
１３…加熱庫
１４…循環ユニット
１５…蒸気吸込口
１７…電装部品
１８…循環ファン
１９…ファンモータ
２０…過熱蒸気生成ヒータ
２１…過熱蒸気生成装置
２２…蒸気供給口
２４…第１蒸気吹出口
２５…第２蒸気吹出口
２７…被加熱物
２８…吸込口
３０…トレイ
３４…蒸気供給管
３６…蒸気導入室
３７…モータ
３８…回転アンテナ
３９a,３９b,３９c…係止部
４０…網
６１…カラー液晶パネル
６２…タッチパネル
７１…戻るキー
７２…取り消しキー
７３…手動加熱キー
７４…あたためスタートキー
８０…マグネトロン
１００…蒸気ダクト
１１０…第１ダクト部
１２０…屈曲部
１３０…第２ダクト部
２００…制御装置
２００a…選択肢同時表示制御部
２００b…選択肢移動制御部
２００c…画像互換制御部
２００d…お気に入り登録部
２００e…枠表示制御部
２００f…選択肢登録変更制御部
２００g…グループ表示制御部
【図１】
2012008475.tif 000003
【図２】
2012008475.tif 000004
【図３】
2012008475.tif 000005
【図４】
2012008475.tif 000006
【図５】
2012008475.tif 000007
【図６】
2012008475.tif 000008
【図７】
2012008475.tif 000009
【図８】
2012008475.tif 000010
【図９】
2012008475.tif 000011
【図１０】
2012008475.tif 000012
【図１１】
2012008475.tif 000013
【図１２】
2012008475.tif 000014
【図１３】
2012008475.tif 000015
【図１４】
2012008475.tif 000016
【図１５】
2012008475.tif 000017
【図１６】
2012008475.tif 000018
【図１７】
2012008475.tif 000019
【図１８】
2012008475.tif 000020
【図１９】
2012008475.tif 000021
【図２０】
2012008475.tif 000022
【図２１】
2012008475.tif 000023
【図２２】
2012008475.tif 000024
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
タッチパネル(６２)を有する表示部(６)と、
ユーザーの指またはペン状物体の接触により上記タッチパネル(６２)が操作されたとき、上記タッチパネル(６２)から受けた操作信号に基づいて上記表示部(６)を制御する制御装置(２００)と
を備え、
上記制御装置(２００)は、
上記表示部(６)の一画面に複数の選択肢を表す複数の画像を同時に表示させる選択肢同時表示制御部(２００a)と、
上記選択肢同時表示制御部(２００a)により上記表示部(６)の一画面に画像が同時に表示される上記複数の選択肢を２以上のグループに分割して、上記タッチパネルから受けた操作信号に基づいて、上記表示部(６)の上記各グループに対応する２以上の画面を切り替えて、上記各グループの選択肢を表す画像を順次表示させるグループ表示制御部(２００g)と、
上記タッチパネルから受けた操作信号に基づいて、上記グループ表示制御部(２００g)により上記表示部(６)の上記各グループに対応する２以上の画面に画像が表示された上記各グループの選択肢に対して、要件を登録または変更する選択肢登録変更制御部(２００f)と、
上記選択肢同時表示制御部(２００a)により上記表示部(６)の一画面に同時に表示された上記複数の選択肢を表す画像のうちの１つである第１選択肢を表す第１画像に対して上記指または上記ペン状物体を接触させて、上記第１選択肢を表す上記第１画像に接触した状態で上記指または上記ペン状物体を上記表示部(６)の画面上で移動させたとき、上記タッチパネルから受けた操作信号に基づいて、上記第１選択肢を表す上記第１画像を上記表示部(６)の画面上で移動させる選択肢移動制御部(２００b)と、
上記選択肢移動制御部(２００b)により移動した上記第１選択肢を表す上記第１画像の主たる部分または全部が、上記複数の選択肢のうちの他の選択肢である第２選択肢を表す第２画像上に重なった状態で、上記タッチパネルから上記指または上記ペン状物体が離れたとき、上記第１選択肢を表す上記第１画像と上記第２選択肢を表す上記第２画像とを互換する画像互換制御部(２００c)と
を有することを特徴とする表示装置。
【請求項２】
請求項１に記載の表示装置において、
上記第２選択肢は、要件が未登録である選択肢を含むことを特徴とする表示装置。
【請求項３】
請求項１または２に記載の表示装置において、
上記第１選択肢は、要件が未登録である選択肢を含まないことを特徴とする表示装置。
【請求項４】
請求項１から３までのいずれかに記載の表示装置において、
上記制御装置(２００)は、
上記タッチパネル(６２)から受けた操作信号に基づいて、上記複数の選択肢に対して、上記ユーザーのお気に入りの選択肢の要件を登録するお気に入り登録部(２００d)を有することを特徴とする表示装置。
【請求項５】
請求項１から４までのいずれか１つに記載の表示装置において、
上記選択肢移動制御部(２００b)は、
上記第１選択肢を表す画像を上記表示部(６)の画面上で移動させているとき、上記第１選択肢を表す上記第１画像が移動前の元の上記第１表示位置にあるときよりも上記第１選択肢を表す上記第１画像の表示サイズを大きくすることを特徴とする表示装置。
【請求項６】
請求項１から５までのいずれか１つに記載の表示装置において、
上記選択肢移動制御部(２００b)は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更することを特徴とする表示装置。
【請求項７】
請求項１から６までのいずれか１つに記載の表示装置において、
上記制御装置(２００)は、
上記選択肢移動制御部(２００b)により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部(２００e)を有することを特徴とする表示装置。
【請求項８】
請求項１から６までのいずれか１つに記載の表示装置において、
上記制御装置(２００)は、
上記表示部(６)の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部(２００e)を有することを特徴とする表示装置。
【請求項９】
請求項８に記載の表示装置において、
上記枠表示制御部(２００e)は、
上記画像互換制御部(２００c)により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させることを特徴とする表示装置。
【請求項１０】
請求項９に記載の表示装置において、
上記枠表示制御部(２００e)は、
上記互換後の上記第１選択肢を表す画像を囲む枠と、上記互換後の上記第２選択肢を表す画像を囲む枠とを、異なる色または異なるパターンの少なく一方で表示させることを特徴とする表示装置。
【請求項１１】
請求項８に記載の表示装置において、
上記タッチパネル(６２)から受けた操作信号に基づいて、上記選択肢同時表示制御部(２００a)により上記表示部(６)の一画面に画像が同時に表示される上記複数の選択肢のうちの１つの選択肢の要件を登録または変更する選択肢登録変更制御部(２００f)を備え、
上記枠表示制御部(２００e)は、
上記選択肢登録変更制御部(２００f)により上記複数の選択肢のうちの１つの選択肢の要件を登録または変更したとき、登録または変更後の上記選択肢を表す画像を囲む枠を予め設定された時間表示させることを特徴とする表示装置。
【請求項１２】
請求項１から１１までのいずれか１つに記載の表示装置を備えたことを特徴とする加熱調理器。
【手続補正２】
【補正対象書類名】明細書
【補正対象項目名】全文
【補正方法】変更
【補正の内容】
【発明の詳細な説明】
【技術分野】
【０００１】
この発明は、表示装置および加熱調理器に関し、詳しくは、タッチパネルを備えた表示装置およびその表示装置を備えた加熱調理器に関する。
【背景技術】
【０００２】
従来、加熱調理器としては、サーバから調理データが通信ネットワークを介して供給されるものがある(例えば、特開２００３−５０９０７号公報(特許文献１)参照)。この加熱調理器は、記録媒体に保持された記憶データをサーバから供給された調理データと差し換える。
【０００３】
しかしながら、上記加熱調理器では、サーバからの調理データと差し換えられた前の調理データは記録媒体から失われてしまうという問題がある。
【０００４】
そこで、複数のメニューが調理データとして登録された加熱調理器が考えられるが、このような加熱調理器では、表示装置の画面は大きくないため、表示装置の画面に多くのメニューを同時に表示して複数のメニューから選択するということは困難である。
【０００５】
特に、上記加熱調理器では、表示装置の画面が小さいために一画面上の多くのメニューを同時に表示できず、複数のメニューの表示順の並べ替えを行うことが容易にできないという問題があった。
【先行技術文献】
【特許文献】
【０００６】
【特許文献１】特開２００３−５０９０７号公報
【発明の概要】
【発明が解決しようとする課題】
【０００７】
そこで、この発明の課題は、簡単な操作で複数の選択肢の表示順を容易に並べ替えることができる表示装置および加熱調理器を提供することにある。
【課題を解決するための手段】
【０００８】
上記課題を解決するため、この発明の表示装置は、
タッチパネルを有する表示部と、
ユーザーの指またはペン状物体の接触により上記タッチパネルが操作されたとき、上記タッチパネルから受けた操作信号に基づいて上記表示部を制御する制御装置と
を備え、
上記制御装置は、
上記表示部の一画面に複数の選択肢を表す複数の画像を同時に表示させる選択肢同時表示制御部と、
上記選択肢同時表示制御部により上記表示部の一画面に画像が同時に表示される上記複数の選択肢を２以上のグループに分割して、上記タッチパネルから受けた操作信号に基づいて、上記表示部の上記各グループに対応する２以上の画面を切り替えて、上記各グループの選択肢を表す画像を順次表示させるグループ表示制御部と、
上記タッチパネルから受けた操作信号に基づいて、上記グループ表示制御部により上記表示部の上記各グループに対応する２以上の画面に画像が表示された上記各グループの選択肢に対して、要件を登録または変更する選択肢登録変更制御部と、
上記選択肢同時表示制御部により上記表示部の一画面に同時に表示された上記複数の選択肢を表す画像のうちの１つである第１選択肢を表す第１画像に対して上記指または上記ペン状物体を接触させて、上記第１選択肢を表す上記第１画像に接触した状態で上記指または上記ペン状物体を上記表示部の画面上で移動させたとき、上記タッチパネルから受けた操作信号に基づいて、上記第１選択肢を表す上記第１画像を上記表示部の画面上で移動させる選択肢移動制御部と、
上記選択肢移動制御部により移動した上記第１選択肢を表す上記第１画像の主たる部分または全部が、上記複数の選択肢のうちの他の選択肢である第２選択肢を表す第２画像上に重なった状態で、上記タッチパネルから上記指または上記ペン状物体が離れたとき、上記第１選択肢を表す上記第１画像と上記第２選択肢を表す上記第２画像とを互換する画像互換制御部と
を有することを特徴とする。
【０００９】
上記構成によれば、ユーザーの指またはペン状物体の接触により操作されたタッチパネルから受けた操作信号に基づいて、画像互換制御部によって、選択肢同時表示制御部により表示部の一画面に同時に表示した複数の選択肢を表す複数の画像のうちの１つである第１選択肢を表す第１画像(第１表示位置に表示)と、上記複数の選択肢のうちの他の選択肢である第２選択肢を表す第２画像(第２表示位置に表示)とを互換する。すなわち、第１表示位置に表示されていた第１画像を第２表示位置に表示させると共に、第２表示位置に表示されていた第２画像を第１表示位置に表示させる。このようにして、タッチパネルに対するユーザーの指またはペン状物体の接触による簡単な操作によって、表示部に表示された複数の選択肢の表示順を容易に並べ替えることができる。
【００１０】
【００１１】
また、選択肢同時表示制御部により表示部の一画面に同時に表示された複数の選択肢を表す画像のうちの１つである第１選択肢を表す第１画像に対して指またはペン状物体を接触させて、第１選択肢を表す第１画像に接触した状態で指またはペン状物体を表示部の画面上で移動させたとき、選択肢移動制御部によって、第１選択肢を表す第１画像を表示部の画面上で移動させる。そして、選択肢移動制御部により移動した第１選択肢を表す第１画像の主たる部分または全部が、複数の選択肢のうちの他の選択肢である第２選択肢を表す第２画像上に重なった状態で、タッチパネルから指またはペン状物体が離れたとき、画像互換制御部によって、第１表示位置に表示された第１選択肢を表す第１画像と第２表示位置に表示された第２選択肢を表す第２画像とを互換する。これにより、タッチパネルに対するユーザーの指またはペン状物体の接触による簡単な操作によって、表示部に表示された複数の選択肢のうちの第１表示位置に表示された第１選択肢を表す第１画像と第２表示位置に表示された第２選択肢を表す第２画像とを容易に互換でき、この互換操作を繰り返すことで、複数の選択肢の表示順を容易に並べ替えることができる。
また、選択肢同時表示制御部により表示部の一画面に画像が同時に表示される複数の選択肢を２以上のグループに分割して、タッチパネルから受けた操作信号に基づいて、グループ表示制御部により、表示部の各グループに対応する２以上の画面を切り替えて、各グループの選択肢を表す画像を順次表示させる。そして、タッチパネルから受けた操作信号に基づいて、選択肢登録変更制御部により、グループ表示制御部により表示部の各グループに対応する２以上の画面に画像が表示された各グループの選択肢に対して、要件を登録または変更する。このような、表示部の各グループに対応する２以上の画面を切り替えて、各グループの選択肢を表す画像に対して、選択肢の要件を登録または変更する表示装置において、各グループの選択肢の全てを表示部の一画面に同時に表示して、タッチパネルによる簡単な操作によって、表示部に表示された複数の選択肢の表示順を並べ替えることができる。
【００１２】
また、一実施形態の表示装置では、
上記第２選択肢は、要件が未登録である選択肢を含む。
【００１３】
上記実施形態によれば、複数の選択肢のうちの第１選択肢の移動先である第２選択肢は、要件が未登録であってもよく、ユーザーの指またはペン状物体の接触により操作されたタッチパネルから受けた操作信号に基づいて、表示部の一画面に同時に表示した第１選択肢を表す画像の表示位置と要件が未登録の第２選択肢を表す画像の表示位置とを入れ替え可能とする。これによって、第１選択肢の移動先の選択範囲が広がり、操作性が向上する。
【００１４】
また、一実施形態の表示装置では、
上記第１選択肢は、要件が未登録である選択肢を含まない。
【００１５】
上記実施形態によれば、複数の選択肢のうちの移動元である第１選択肢が、要件が未登録である選択肢を含まない、すなわち、未登録の選択肢は移動元として移動できないようにすることによって、誤った操作などによる不必要な移動を抑制でき、操作性が向上する。
【００１６】
また、一実施形態の表示装置では、
上記制御装置は、
上記タッチパネルから受けた操作信号に基づいて、上記複数の選択肢に対して、上記ユーザーのお気に入りの選択肢の要件を登録するお気に入り登録部を有する。
【００１７】
上記実施形態によれば、タッチパネルから受けた操作信号に基づいて、複数の選択肢に対して、お気に入り登録部によりユーザーのお気に入りの選択肢の要件を登録する。これにより、表示部の一画面に表示する複数の選択肢に対してユーザーの希望する要件を容易に登録でき、お気に入りの選択肢の中から選択される頻度の高い選択肢を登録して選び出すことが可能となるので、利便性が向上する。
【００１８】
また、一実施形態の表示装置では、
上記選択肢移動制御部は、
上記第１選択肢を表す画像を上記表示部の画面上で移動させているとき、上記第１選択肢を表す上記第１画像が移動前の元の上記第１表示位置にあるときよりも上記第１選択肢を表す上記第１画像の表示サイズを大きくする。
【００１９】
上記実施形態によれば、選択肢移動制御部が第１選択肢を表す画像を表示部の画面上で移動させているとき、第１選択肢を表す第１画像が移動前の元の第１表示位置にあるときよりも第１選択肢を表す第１画像の表示サイズを大きくすることによって、移動中に指またはペン状物体により一部が隠れてしまう第１選択肢を表す画像の視認性を向上できる。
【００２０】
また、一実施形態の表示装置では、
上記選択肢移動制御部は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更する。
【００２１】
上記実施形態によれば、移動した第１選択肢を表す第１画像の主たる部分または全部が、複数の選択肢のうちの他の選択肢である第２選択肢を表す第２画像上に重なった状態で、選択肢移動制御部により、第１選択肢を表す第１画像が重なる第２選択肢を表す第２画像の色またはコントラストの少なくとも一方を、第１選択肢を表す第１画像が重なる直前の状態とは異なる状態に変更することによって、指またはペン状物体をタッチパネルから離す前に第１選択肢を表す第１画像と入れ替わる第２選択肢を表す第２画像がどれであるかを容易に認識することが可能となり、確実な入れ替え操作が行えるので、操作性が向上する。
【００２２】
また、一実施形態の表示装置では、
上記制御装置は、
上記選択肢移動制御部により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部を有する。
【００２３】
上記実施形態によれば、選択肢移動制御部により移動した第１選択肢を表す第１画像の主たる部分または全部が、複数の選択肢のうちの他の選択肢である第２選択肢を表す第２画像上に重なった状態で、枠表示制御部により、第１選択肢を表す第１画像が重なる第２選択肢を表す第２画像を囲む枠を表示させることによって、指またはペン状物体をタッチパネルから離す前に第１選択肢を表す第１画像と入れ替わる第２選択肢を表す第２画像がどれであるかを容易に認識することが可能となり、確実な互換操作が行えるので、操作性が向上する。
【００２４】
また、一実施形態の表示装置では、
上記制御装置は、
上記表示部の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部を有する。
【００２５】
上記実施形態によれば、制御装置の枠表示制御部により、表示部の画面に表示された上記複数の選択肢を表す画像のうち、表示位置の移動,要件の登録または要件の変更が行われた選択肢を表す画像に対して、その画像を囲む枠を、表示位置の移動,要件の登録または要件の変更の完了から予め設定された時間表示させることによって、複数の選択肢を表す画像の中から表示位置の移動,要件の登録または要件の変更が行われた後の選択肢を表す画像を目で確認することができ、操作した対象を再確認することにより操作性が向上する。
【００２６】
また、一実施形態の表示装置では、
上記枠表示制御部は、
上記画像互換制御部により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させる。
【００２７】
上記実施形態によれば、画像互換制御部により第１選択肢を表す第１画像と第２選択肢を表す第２画像とを互換したとき、枠表示制御部により、互換後の第１選択肢を表す第１画像を囲む枠を予め設定された時間表示させると共に、互換後の第２選択肢を表す第１画像を囲む枠を予め設定された時間表示させることによって、互換後の第１,第２選択肢を表す第１,第２画像を目で確認することができ、操作した２つの対象を再確認することにより操作性が向上する。
【００２８】
また、一実施形態の表示装置では、
上記枠表示制御部は、
上記互換後の上記第１選択肢を表す画像を囲む枠と、上記互換後の上記第２選択肢を表す画像を囲む枠とを、異なる色または異なるパターンの少なくとも一方で表示させる。
【００２９】
上記実施形態によれば、枠表示制御部によって、互換後の第１選択肢を表す画像を囲む枠と、互換後の第２選択肢を表す画像を囲む枠とを、異なる色または異なるパターンの少なくとも一方で表示させることによって、互換後の第１選択肢を表す画像と第２選択肢を表す画像とを区別して視認でき、操作した２つの対象を再確認することにより操作性がより向上する。
【００３０】
また、一実施形態の表示装置では、
上記タッチパネルから受けた操作信号に基づいて、上記選択肢同時表示制御部により上記表示部の一画面に画像が同時に表示される上記複数の選択肢のうちの１つの選択肢の要件を登録または変更する選択肢登録変更制御部を備え、
上記枠表示制御部は、
上記選択肢登録変更制御部により上記複数の選択肢のうちの１つの選択肢の要件を登録または変更したとき、登録または変更後の上記選択肢を表す画像を囲む枠を予め設定された時間表示させる。
【００３１】
上記実施形態によれば、タッチパネルから受けた操作信号に基づいて、選択肢登録変更制御部によって、選択肢同時表示制御部により表示部の一画面に画像が同時に表示される複数の選択肢のうちの１つの選択肢の要件を登録または変更する。そして、上記選択肢登録変更制御部により複数の選択肢のうちの１つの選択肢の要件を登録または変更したとき、枠表示制御部により、登録または変更後の選択肢を表す画像を囲む枠を予め設定された時間表示させる。これによって、登録または変更後の選択肢を目で確認することができ、操作した対象を再確認することにより操作性がより向上する。
【００３２】
【００３３】
【００３４】
また、この発明の加熱調理器では、
上記のいずれか１つに記載の表示装置を備えたことを特徴とする。
【００３５】
上記構成によれば、タッチパネルに対するユーザーの指またはペン状物体の接触による簡単な操作によって、表示部に表示された複数の選択肢、例えば調理メニューの表示順を容易に並べ替えることができる。
【発明の効果】
【００３６】
以上より明らかなように、この発明の表示装置によれば、簡単な操作で複数の選択肢の表示順を容易に並べ替えることができる表示装置を実現することができる。
【００３７】
また、この発明の加熱調理器によれば、簡単な操作によって、表示部に表示された複数の選択肢、例えば調理メニューの表示順を容易に並べ替えることができる加熱調理器を実現することができる。
【図面の簡単な説明】
【００３８】
【図１】図１はこの発明の実施の一形態の表示装置を備えた加熱調理器の正面斜視図である。
【図２】図２は上記加熱調理器の縦断面の模式図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶表示部にトップ操作画面が表示された操作パネルの正面図である。
【図７】図７は上記カラー液晶表示部に表示されたトップ操作画面を示す図である。
【図８】図８は上記カラー液晶表示部に表示された「わが家のお気に入り」の第１画面を示す図である。
【図９】図９は上記「わが家のお気に入り」の第２画面を示す図である。
【図１０】図１０は上記「わが家のお気に入り」の第３画面を示す図である。
【図１１】図１１は上記「わが家のお気に入り」の第４画面を示す図である。
【図１２】図１２は上記カラー液晶表示部に表示された並べ替えのための初期画面を示す図である。
【図１３】図１３は上記カラー液晶表示部に表示された特定のメニューを移動中の表示画面を示す図である。
【図１４】図１４は上記特定のメニューを移動させて他のメニューと互換した直後の表示画面を示す図である。
【図１５】図１５は図１２の表示状態から特定のメニューを移動させた状態の表示画面を示す図である。
【図１６】図１６は上記特定のメニューを移動させて未登録のものと互換した直後の表示画面を示す図である。
【図１７】図１７は上記加熱調理器の制御装置の画面制御の動作を説明するためのフローチャートである。
【図１８】図１８は図１７に続くフローチャートである。
【図１９】図１９は図１８に続くフローチャートである。
【図２０】図２０は図１９に続くフローチャートである。
【図２１】図２１は図２０に続くフローチャートである。
【図２２】図２２は上記カラー液晶表示部に表示された「天ぷらあたため」スタート時の画面を示す図である。
【発明を実施するための形態】
【００３９】
以下、この発明の表示装置および加熱調理器を図示の実施の形態により詳細に説明する。
【００４０】
図１はこの発明の実施の一形態の表示装置を備えた加熱調理器の正面斜視図を示している。
【００４１】
この実施の形態の加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００４２】
図２は上記加熱調理器の縦断面の模式図を示している。図２に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００４３】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００４４】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００４５】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００４６】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００４７】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００４８】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００４９】
また、加熱庫１３の下部にはマグネトロン８０(図５に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００５０】
また、ケーシング１内の下側には、冷却ファン部(図示せず)と、電装部品１７と、マグネトロン８０(図５に示す)を配置している。電装部品１７は、加熱調理器の各部を駆動する駆動回路やこの駆動回路を制御する制御回路等を有している。
【００５１】
図３は図１に示す操作パネル５を拡大した概略図である。
【００５２】
上記ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。
【００５３】
図４は図３のＦ４−Ｆ４線から見た模式断面図である。
【００５４】
上記カラー液晶表示部６は、カラー液晶パネル６１上にタッチパネル６２を重ねて構成されている。なお、この発明の表示部は、液晶パネルに限らず、有機ＥＬなどの他の表示デバイスを用いてもよく、カラー表示に限らず、白黒表示でもよい。
【００５５】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００５６】
図５は上記加熱調理器の制御ブロック図を示している。この加熱調理器は、マイクロコンピュータと入出力回路などからなる制御装置２００を電装品部１７(図２に示す)内に備えている。制御装置２００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置２００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００５７】
上記制御装置２００は、カラー液晶表示部６の一画面に複数のメニューを表す複数の画像を同時に表示する選択肢同時表示制御部２００aと、第１選択肢であるメニューを表す画像をカラー液晶表示部６の画面上で移動させる選択肢移動制御部２００bと、第１,第２選択肢である２つのメニューを表す画像を互換する画像互換制御部２００cと、ユーザーのお気に入りのメニューを登録するお気に入り登録部２００dと、メニューの表示位置の移動,登録または変更が完了したメニューを表す画像を囲む枠を表示する枠表示制御部２００eと、メニューを登録または変更する選択肢登録変更制御部２００fと、カラー液晶表示部６のお気に入りメニューが登録された４つのグループに対応する第１画面〜第４画面を切り替えて、各グループのメニューを表す画像を表示するグループ表示制御部２００gとを有する。この制御装置２００と操作パネル５で表示装置を構成している。
【００５８】
なお、この実施の形態では、表示部に表示される複数の選択肢として加熱調理器のメニューを説明しているが、この発明の表示装置は、選択肢として他の選択項目であってもよい。
【００５９】
上記構成の加熱調理器において、過熱蒸気によって加熱調理を行う場合には、図２に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００６０】
そして、加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００６１】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００６２】
ここで、加熱庫１３内の左壁面および右壁面には、図２に示すように、トレイ３０の両端部を係止する係止部３９a,３９b,３９cが上下方向に３段に設けられている。そして、蒸気供給管３４は、上段の係止部３９aよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００６３】
次に、「わが家のお気に入り」について操作パネル５の操作を説明する。
【００６４】
図６はトップ操作画面がカラー液晶表示部６に表示された操作パネルの正面図を示しており、図３と同一の構成部は同一参照番号を付している。また、図７は上記カラー液晶表示部６に表示されたトップ操作画面を拡大して示している。
【００６５】
図７に示すトップ操作画面は、加熱調理器の電源プラグ(図示せず)をコンセントに差し込んだ後、カラー液晶パネル６１が最初に表示する画面である。
【００６６】
上記カラー液晶パネル６１のトップ操作画面には画像Ｇ１〜Ｇ８,Ｇ９Ａ,Ｇ９Ｂが表示される。画像Ｇ１は、冷えた料理等を温めるときに選択すべき画像であり、エビフライの絵と、「あたためる」の文字とを含んでいる。画像Ｇ２は、蒸し物や煮物を作るときに選択すべき画像であり、鍋および蒸籠の絵と、「蒸す・煮る」の文字とを含んでいる。画像Ｇ３は、料理集内の３００種類以上の料理から希望の料理を探すときに選択すべき画像であり、本の絵と、「お料理集から選ぶ」の文字とを含んでいる。画像Ｇ４は、牛乳や酒を適温に温めるときに選択すべき画像であり、コップおよび徳利の絵と、「牛乳」および「酒のかん」の文字を含んでいる。画像Ｇ５は、焼き物およびフライ物を作るときに選択すべき画像であり、ローストチキンの絵と、「焼く・フライ」の文字とを含んでいる。画像Ｇ６は、健康サポートメニューを使いたいときに選択すべき画像であり、元気な人をイメージさせる絵と、「健康サポートメニュー」の文字とを含んでいる。画像Ｇ７は、我が家のお気に入りの料理を作るときに選択すべき画像であり、押しピンの絵と、「わが家のお気に入り」の文字とを含んでいる。画像Ｇ８は、冷凍食材等を解凍するときに選択すべき画像であり、雪の結晶の絵と、「解凍する」の文字とを含んでいる。
【００６７】
また、画像Ｇ９Ａは、代表的なメニューを調理するときの基本的な操作を説明する「ヘルシオ教室」を見たいときに選択すべき画像であり、画像Ｇ９Ｂは、設定やお手入れ(除菌など)を行いたいときに選択すべき画像である。ここで、「ヘルシオ教室」とは、代表的なメニューを調理するときの基本的な操作をカラー液晶表示部６に表示して説明する。
【００６８】
このような構成の初期画面が表示されているときに、ユーザーが、画像Ｇ７に重なるタッチパネル６２の一部にタッチすると、カラー液晶パネル６１の画面は初期画面から「わが家のお気に入り」画面に切り換わる。つまり、ユーザーの画像Ｇ７の選択により、カラー液晶パネル６１が図８に示す「わが家のお気に入り」画面を表示する。
【００６９】
図８はカラー液晶表示部６に表示された「わが家のお気に入り」の第１画面を示している。この「わが家のお気に入り」の第１画面は、図８に示すように、上側に４つの画像Ｇ１０(「１」),Ｇ２０(「２」),Ｇ３０(「３」),Ｇ４０(「４」)が横方向に間隔をあけて表示されている。図８では、画像Ｇ１０の「１」の背景色が他の画像Ｇ２０,Ｇ３０,Ｇ４０よりも濃く表示されて、第１画面であることを示している。また、画面の中央部の主たる部分を分割した４つのメニュー表示領域(縦２×横２)に、メニュー番号,料理名および料理の写真を含む画像Ｇ１１,Ｇ１２,Ｇ１３,Ｇ１４が夫々表示されている。図８では、４つのメニュー表示領域のうち、左上表示領域は画像Ｇ１１(メニュー番号「００２」,料理名「天ぷらあたため」)、左下表示領域は画像Ｇ１２(メニュー番号「００７」,料理名「中華まんあたため」)、右上表示領域は画像Ｇ１３(メニュー番号「００３」,料理名「フライあたため」)、右下表示領域は画像Ｇ１４(「未登録」)となっている。
【００７０】
また、上記４つのメニュー表示領域の下側に、画像Ｇ１５(「並べ替え」)、画像Ｇ１６(「登録変更」)、画像Ｇ１７(「＞」「次へ」)が横方向に並んで表示されている。
【００７１】
そして、画像Ｇ１７(「＞」「次へ」)を指でタッチして選択すると、図９に示す「わが家のお気に入り」の第２画面に表示が切り替わる。
【００７２】
図９では、画像Ｇ２０の「２」の背景色が他の画像Ｇ１０,Ｇ３０,Ｇ４０よりも濃く表示されて、第２画面であることを示している。また、図９では、４つのメニュー表示領域のうち、左上表示領域は画像Ｇ２１(メニュー番号「０７２」,料理名「蒸し青野菜」)、左下表示領域は画像Ｇ２２(メニュー番号「０１６」,料理名「鶏の照り焼き」)、右上表示領域は画像Ｇ２３(メニュー番号「０５４」,料理名「からあげ(鶏もも)」)、右下表示領域は画像Ｇ２４(メニュー番号「０４０」, 料理名「塩ざけ塩さば」)となっている。なお、上記４つのメニュー表示領域の下側に、画像Ｇ１８(「＜」「前へ」)、画像Ｇ１６(「登録変更」)、画像Ｇ１７(「＞」「次へ」)が表示されている。
【００７３】
次に、画像Ｇ１７(「＞」「次へ」)を指でタッチして選択すると、図１０に示す「わが家のお気に入り」の第３画面に表示が切り替わる。一方、画像Ｇ１８(「＜」「前へ」)を指でタッチして選択すると、図８に示す「わが家のお気に入り」の第１画面に戻る。
【００７４】
図１０では、画像Ｇ３０の「３」の背景色が他の画像Ｇ１０,Ｇ２０,Ｇ４０よりも濃く表示されて、第３画面であることを示している。また、図１０では、４つのメニュー表示領域のうち、左上表示領域は画像Ｇ３１(メニュー番号「０２９」,料理名「グラタン」)、左下表示領域は画像Ｇ３２(メニュー番号「０５１」,料理名「焼きいも」)、右上表示領域は画像Ｇ３３(メニュー番号「０６９」,料理名「とんかつ」)、右下表示領域は画像Ｇ３４(メニュー番号「１８６」,「茶わん蒸し」)となっている。
【００７５】
次に、画像Ｇ１７(「＞」「次へ」)を指でタッチして選択すると、図１１に示す「わが家のお気に入り」の第４画面に表示が切り替わる。一方、画像Ｇ１８(「＜」「前へ」)を指でタッチして選択すると、図９に示す「わが家のお気に入り」の第２画面に戻る。
【００７６】
図１１では、画像Ｇ４０の「４」の背景色が他の画像Ｇ１０,Ｇ２０,Ｇ３０よりも濃く表示されて、第４画面であることを示している。また、図１１では、４つのメニュー表示領域の画像Ｇ４１〜４４はいずれも「未登録」となっている。
【００７７】
次に、画像Ｇ１７(「＞」「次へ」)を指でタッチして選択すると、図８に示す「わが家のお気に入り」の第１画面に表示が切り替わる。一方、画像Ｇ１８(「＜」「前へ」)を指でタッチして選択すると、図１０に示す「わが家のお気に入り」の第３画面に戻る。なお、図１１に示す「わが家のお気に入り」の第４画面において、画像Ｇ１７(「＞」「次へ」)は表示せず、表示画面の変更は、画像Ｇ１８(「＜」「前へ」)の選択によって図１０に示す「わが家のお気に入り」の第３画面に戻るだけにしてもよい。
【００７８】
このようにして、この実施形態の加熱調理器では、「わが家のお気に入り」において、グループ表示制御部２００gによって、４つのグループに分けられたメニューを表す画像をカラー液晶表示部６の第１画面〜第４画面に表示し、その４メニュー／１ページの４つの画面において、選択肢登録変更制御部２００fにより最大１６通りのメニューを登録することができる。なお、１つのグループを表す１ページの表示メニュー数やページ数はこれに限らず、加熱調理器の表示部のサイズや機能に応じて適宜設定すればよい。
【００７９】
次に、図８に示す「わが家のお気に入り」の第１画面において、画像Ｇ１５(「並べ替え」)を指でタッチして選択すると、図１２に示す並べ替えのための初期画面がカラー液晶表示部６に表示される。
【００８０】
図１２では、画面の中央部の主たる部分を分割した４つのメニュー表示領域(縦２×横２)に、図８〜図１１に示した第１画面〜第４画面のメニュー番号,料理の写真が夫々表示され、料理名のみ省略されている。詳しくは、左上メニュー表示領域に図８に示した第１画面の画像Ｇ１００が表示され、その画像Ｇ１００の左上側に、第１画面のメニューであることを表す画像Ｇ１０１(「１」)が表示されている。また、右上メニュー表示領域に図９に示した第２画面の画像Ｇ２００が表示され、その画像Ｇ２００の左上側に、第２画面のメニューであることを表す画像Ｇ２０１(「２」)が表示されている。また、左下メニュー表示領域に図１０に示した第３画面の画像Ｇ３００が表示され、その画像Ｇ３００の左上側に、第３画面のメニューであることを表す画像Ｇ３０１(「３」)が表示されている。さらに、右下メニュー表示領域に図１１に示した第４画面の画像Ｇ４００が表示され、その画像Ｇ４００の左上側に、第４画面のメニューであることを表す画像Ｇ４０１(「４」)が表示されている。
【００８１】
これにより、カラー液晶表示部６の一画面に最大で１６通りのメニューを表す画像を同時に表示できる。
【００８２】
また、図１２の画面の上側には「メニューをタッチしたまま移動させると並べ替えができます」が表示され、下側には「並べ替えが終わったら「完了」を押して下さい」が表示されている。図１２に示す画面の右下側に、画像Ｇ５０(「完了」)が表示されている。
【００８３】
なお、図１２の並べ替えのための画面において、４つのメニュー表示領域に表示された１６通りのメニュー(未登録を含む)に対して、画像(「登録・変更」)を追加して登録・変更を行うようにしてもよい。
【００８４】
〔メニューの並べ替えの例〕
例えば、図１２に示す左上メニュー表示領域の右上側である第１表示位置に表示された第１画面の画像Ｇ１１３(図８における画像Ｇ１３(メニュー番号「００３」,料理名「フライあたため」))と、右上メニュー表示領域の右下側である第２表示位置に表示された第２画面の画像Ｇ２２４(図９における画像Ｇ２４(メニュー番号「０４０」,料理名「塩ざけ塩さば」))とを互換するすなわち入れ替える場合、まず、画像Ｇ１１３を指でタッチして選択した後、図１３に示すように、画像Ｇ１１３を指で押さえた状態でカラー液晶表示部６の画面上で指を移動させると、指の動きに応じて画像Ｇ１１３が移動する。
【００８５】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。この実施の形態では、移動中の画像の表示サイズは、移動前よりも縦横寸法を約１０％大きくしている。
【００８６】
次に、移動した画像Ｇ１１３の主たる部分が画像Ｇ２２４上に重なった状態で、カラー液晶表示部６から指を離すと、図１４に示すように、第１表示位置に表示された第１画像である画像Ｇ１１３と、第２表示位置に表示された第２画像である画像Ｇ２２４とが入れ替わる。すなわち、第１画像である画像Ｇ１１３が第２表示位置に表示され、第２画像である画像Ｇ２２４が第１表示位置に表示される。
【００８７】
この画像Ｇ１１３と画像Ｇ２２４とが入れ替わってから予め設定された時間(例えば０．５秒間)、画像Ｇ１１３にはオレンジ色の枠ＦＲ-orgが表示されると共に、画像Ｇ２２４には濃茶色の枠ＦＲ-brnが表示される(図１４では見やすくするために枠ＦＲ-brnを白抜きの点線で示す)。
【００８８】
これにより、どの画像とどの画像が入れ替わったのかが容易に認識できる。
【００８９】
〔メニュー並べ替えの他の例〕
また、他の入れ替え例として、図１２に示す左上メニュー表示領域に表示された第１画面の画像Ｇ１１３(図８における画像Ｇ１３(メニュー番号「００３」,料理名「フライあたため」))と、右下メニュー表示領域に表示された第４画面の画像Ｇ４４４(図１１における画像Ｇ４４(「未登録」))とを入れ替える場合、まず、画像Ｇ１１３を指でタッチして選択した後、図１５に示すように、画像Ｇ１１３を指で押さえた状態でカラー液晶表示部６の画面上で指を移動させると、指の動きに応じて画像Ｇ１１３が移動する。
【００９０】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。
【００９１】
次に、移動した画像Ｇ１１３の主たる部分が画像Ｇ４４４上に重なった状態で、カラー液晶表示部６から指を離すと、図１６に示すように、第１表示位置に表示された第１画像である画像Ｇ１１３と、第２表示位置に表示された第２画像である画像Ｇ４４４とが入れ替わって表示される。
【００９２】
この画像Ｇ１１３と画像Ｇ４４４とが入れ替わってから予め設定された時間(例えば０．５秒間)、画像Ｇ１１３にはオレンジ色の枠ＦＲ-orgが表示されると共に、画像Ｇ４４４には濃茶色の枠ＦＲ-brnが表示される(図１４では見やすくするために枠ＦＲ-brnを白抜きの点線で示す)。
【００９３】
なお、図８〜図１１の第１画面〜第４画面において、４つのメニュー表示領域に表示された画像のいずれか１つを選択し、画像Ｇ１６(「登録変更」)を指でタッチして選択すると、登録変更の処理に移る。そして、登録変更の処理では、お気に入り登録部２００dによって、例えば、登録済のメニューが選択されていて他のメニューと入れ替えて登録する場合や未登録が選択されていて新たにメニューを登録する場合は、メニュー番号やカテゴリ(材料別など)から所望のメニューを選択して「決定」(図示せず)を選択することにより登録を行う。また、登録変更の処理に移る直前に選択したメニューを削除する場合は、「削除」(図示せず)を指でタッチして選択することにより削除される。このようにして、登録変更の処理が終わると、第１画面〜第４画面のいずれかの表示に戻る。このとき、枠表示制御部２００eにより、登録または変更が完了したメニューを表す画像を囲む枠(図示せず)を予め設定された時間(例えば０．５秒間)表示する。
【００９４】
図１７〜図２１は制御装置２００の画面制御の動作を説明するためのフローチャートである。
【００９５】
この図１７〜図２１に示す画面制御は、ユーザーがお気に入りのメニューを並べ替えおよび登録・変更するための画面制御である。なお、上記画面制御は、カラー液晶パネル６１が図７に示すトップ操作画面を表示している状態でスタートするものとする。
【００９６】
まず、制御装置２００の画面制御の処理がスタートすると、図１７に示すステップＳ１において、カラー液晶パネル６１に図７に示すトップ操作画面を表示する。
【００９７】
次に、ステップＳ２に進み、選択入力の有ると判定すると、ステップＳ３に進む一方、選択入力がないと判別するとステップＳ２を繰り返す。つまり、ステップＳ２では、画像Ｇ１〜Ｇ８,Ｇ９Ａ,Ｇ９Ｂ(図７に示す)に重なるタッチパネル６２(図４に示す)の一部に対して、タッチが有ったか否かを判定する。
【００９８】
次に、ステップＳ３で「わが家のお気に入り」(画像Ｇ７)が選択されたと判定すると、ステップＳ４に進む一方、「わが家のお気に入り」以外の他の項目が選択されたと判定すると、他の選択項目の処理を行う(画像Ｇ１〜Ｇ６,Ｇ８,Ｇ９Ａ,Ｇ９Ｂ)。
【００９９】
-- 第１画面 --
次に、ステップＳ４では、図８に示す「わが家のお気に入り」の第１画面をカラー液晶パネル６１に表示する。
【０１００】
次に、ステップＳ５に進み、「＞次へ」(画像Ｇ１７)が選択されたと判定すると、図１８に示すステップＳ１１に進む一方、「＞次へ」が選択されていないと判定すると、ステップＳ６に進む。
【０１０１】
ステップＳ６で「登録変更」(画像Ｇ１６)が選択されたと判定すると、登録変更の処理に進む一方、「登録変更」が選択されていないと判定すると、ステップＳ７に進む。
【０１０２】
そして、ステップＳ７で「並べ替え」(画像Ｇ１５)が選択されたと判定すると、図２１に示すステップＳ４１に進む一方、「並べ替え」が選択されていないと判定すると、ステップＳ５に戻り、ステップＳ５〜Ｓ７を繰り返す。
【０１０３】
-- 第２画面 --
ステップＳ５において「＞次へ」(画像Ｇ１７)が選択されたと判定して、図１８に示すステップＳ１１に進むと、図９に示す「わが家のお気に入り」の第２画面をカラー液晶パネル６１に表示する。
【０１０４】
次に、ステップＳ１２に進み、「＞次へ」が選択されたと判定すると、図１９に示すステップＳ２１に進む一方、「＞次へ」が選択されていないと判定すると、ステップＳ１３に進む。
【０１０５】
ステップＳ１３で「登録変更」(画像Ｇ１６)が選択されたと判定すると、登録変更の処理に進む一方、「登録変更」が選択されていないと判定すると、ステップＳ１４に進む。
【０１０６】
そして、ステップＳ１４で「＜前へ」(画像Ｇ１８)が選択されたと判定すると、図１７に示すステップＳ４に進む一方、「＜前へ」が選択されていないと判定すると、ステップＳ１２に戻り、ステップＳ１２〜Ｓ１４を繰り返す。
【０１０７】
-- 第３画面 --
ステップＳ１２において「＞次へ」が選択されたと判定して、図１９に示すステップＳ２１に進むと、図１０に示す「わが家のお気に入り」の第３画面をカラー液晶パネル６１に表示する。
【０１０８】
次に、ステップＳ２２に進み、「＞次へ」(画像Ｇ１７)が選択されたと判定すると、図２０に示すステップＳ３１に進む一方、「＞次へ」が選択されていないと判定すると、ステップＳ２３に進む。
【０１０９】
ステップＳ２３で「登録変更」(画像Ｇ１６)が選択されたと判定すると、登録変更の処理に進む一方、「登録変更」が選択されていないと判定すると、ステップＳ２４に進む。
【０１１０】
そして、ステップＳ２４で「＜前へ」(画像Ｇ１８)が選択されたと判定すると、図１８に示すステップＳ１１に進む一方、「＜前へ」が選択されていないと判定すると、ステップＳ２２に戻り、ステップＳ２２〜Ｓ２４を繰り返す。
【０１１１】
-- 第４画面 --
ステップＳ２２において「＞次へ」が選択されたと判定して、図２０に示すステップＳ３１に進むと、図１１に示す「わが家のお気に入り」の第４画面をカラー液晶パネル６１に表示する。
【０１１２】
次に、ステップＳ３２に進み、「＞次へ」(画像Ｇ１７)が選択されたと判定すると、図１７に示すステップＳ４に戻る一方、「＞次へ」が選択されていないと判定すると、ステップＳ３３に進む。
【０１１３】
ステップＳ３３で「登録変更」(画像Ｇ１６)が選択されたと判定すると、登録変更の処理に進む一方、「登録変更」が選択されていないと判定すると、ステップＳ３４に進む。
【０１１４】
そして、ステップＳ３４で「＜前へ」(画像Ｇ１８)が選択されたと判定すると、図１９に示すステップＳ２１に進む一方、「＜前へ」が選択されていないと判定すると、ステップＳ３２に戻り、ステップＳ３２〜Ｓ３４を繰り返す。
【０１１５】
-- 並べ替えの画面 --
図１７に示すステップＳ７において「並べ替え」(画像Ｇ１５)が選択されたと判定して、図２１に示すステップＳ４１に進むと、選択肢同時表示制御部２００aによって、図１２に示す並べ替えのための初期画面をカラー液晶表示部６に表示する。
【０１１６】
次に、ステップＳ４２に進み、「完了」が選択されたと判定すると、図１７に示すステップＳ４に戻る一方、「完了」が選択されていないと判定すると、ステップＳ４３に進む。
【０１１７】
次に、ステップＳ４３でメニューの選択の有無を判定する。すなわち、カラー液晶表示部６の一画面に同時に表示された複数のメニュー(メニュー数は最大１６)を表す画像に重なるタッチパネル６２(図４に示す)の一部に対して、タッチが有ったか否かを判定する。
【０１１８】
そして、ステップＳ４３でメニューの選択が有ると判定すると、ステップＳ４４に進む一方、メニューの選択がないと判定すると、ステップＳ４２に戻る。
【０１１９】
次に、ステップＳ４４で選択されたメニュー(第１選択肢)が移動したか否かを判定する。すなわち、選択されたメニュー(第１選択肢)を表す画像に重なるタッチパネル６２(図４に示す)の一部を指で接触した状態で、カラー液晶表示部６の画面上を移動したか否かを判定する。
【０１２０】
そして、ステップＳ４４で選択されたメニューが移動したと判定すると、ステップＳ４５に進み、選択肢移動制御部２００bにより移動処理を行う。この移動処理では、選択されたメニューを表す画像が移動前の元の表示位置にあるときよりもの表示サイズを選択肢移動制御部２００bにより大きくすると共に、選択されたメニューを表す画像を囲むオレンジ色の枠ＦＲ-orgを枠表示制御部２００eにより表示する(図１３,図１５参照)。
【０１２１】
次に、ステップＳ４６に進み、移動した選択メニュー(第１選択肢)が他のメニュー(第２選択肢)に重なったか否かを判定する。ここで、移動した選択メニュー(第１選択肢)を表す画像が他の複数のメニューを表す複数の画像に同時に重なっている場合は、他の複数のメニューのうち、移動した選択メニュー(第１選択肢)を表す画像の主たる部分が重なっているメニュー(第２選択肢)が選択メニュー(第１選択肢)と重なっているものとして判定する。
【０１２２】
なお、選択メニュー(第１選択肢)を表す画像の主たる部分が重なるメニュー(第２選択肢)を表す画像は、選択肢移動制御部２００bにより、色(色相,明度,彩度)が変わるか、コントラストが変わるか、例えば網掛けなどの模様の変更などにより、他のメニューと容易に区別できるようにしてもよい。
【０１２３】
そして、ステップＳ４６で移動した選択メニューが他のメニューに重なっていると判定すると、ステップＳ４７に進む一方、移動した選択メニューが他のメニューに重なっていないと判定すると、ステップＳ５０に進む。
【０１２４】
次に、ステップＳ４７で指がタッチパネル６２から離されたと判定すると、ステップＳ４８に進む一方、指がタッチパネル６２から離されていないと判定すると、ステップＳ４５に戻る。
【０１２５】
そして、ステップＳ４８では、画像互換制御部２００cにより互換処理を行った後、ステップＳ４９に進み、枠表示制御部２００eにより枠表示を行って、ステップＳ４２に戻る。この互換処理では、移動した選択メニュー(第１選択肢)を表す第１画像と、その画像の主たる部分が重なっていた他のメニュー(第２選択肢)を表す第２画像とを互換する(図１４,図１６参照)。そして、互いに入れ替えられた選択メニュー(第１選択肢)のオレンジ色の枠ＦＲ-orgと他のメニュー(第２選択肢)の濃茶色の枠ＦＲ-brnを枠表示制御部２００eにより表示する。
【０１２６】
一方、ステップＳ４６で移動した選択メニューが他のメニューに重なっていないと判定して、ステップＳ５０に進み、指がタッチパネル６２から離されたと判定すると、ステップＳ５１に進み、元に戻す処理を行った後、ステップＳ４２に戻る。この元に戻す処理では、移動中の選択メニューを表す画像が移動前の元の表示位置に戻る。
【０１２７】
一方、ステップＳ５０で指がタッチパネル６２から離されていないと判定すると、ステップＳ４５に戻る。
【０１２８】
-- 第１画面からの調理操作の例 --
なお、図８に示す「わが家のお気に入り」の第１画面において、画像Ｇ１１(メニュー番号「００２」,料理名「天ぷらあたため」)を指でタッチして選択した後、あたためスタートキー７４を押すと、図２２に示すカラー液晶表示部６に「天ぷらあたため」スタート時の画面が表示される。
【０１２９】
この図２２に示すカラー液晶表示部６に「天ぷらあたため」スタート時の画面は、左上側に過熱蒸気を用いた加熱であることを示す「ウォーターオーブン」の文字が表示され、その横に「オーブン」の文字が表示され、さらにその下側に「天ぷらのあたため」の文字が表示されている。また、カラー液晶表示部６の画面の中央部分に画像Ｇ６１(「常温冷蔵」)と画像Ｇ６２(「冷凍」)が横方向に並んで表示されている。この「天ぷらあたため」の加熱調理では、あたためる「天ぷら」が常温または冷蔵で保存されたものか、または、冷凍されていたものかによって加熱条件を設定している。そして、この「天ぷらあたため」スタート時の初期画面では、画像Ｇ６１(「常温冷蔵」)がオレンジ色に表示され、画像Ｇ６２(「冷凍」)が白色に表示されて、「常温冷蔵」の天ぷらのあたためモードであることを示している。あたためる「天ぷら」が冷凍されていたものである場合は、画像Ｇ６２(「冷凍」)を指でタッチして選択すると、画像Ｇ６１(「常温冷蔵」)が白色に表示され、画像Ｇ６２(「冷凍」)がオレンジ色に表示されて、「冷凍」の天ぷらのあたためモードになる。
【０１３０】
また、画像Ｇ６１,Ｇ６２の下側に、加熱庫内に網が載せられたトレイを中段に装着した画像Ｇ６３が表示されている。画像Ｇ６３の左側に「中段」の文字と矢印の絵が赤色で表示されてトレイの位置が示されている。さらに、画像Ｇ６３の右側に「水タンク」の文字と水滴の絵が水色で表示され、この「天ぷらあたため」では、水タンク１１内の水を使用されることを表し、水タンク１１内の水の有無についてユーザーの注意を喚起するようにしている。
【０１３１】
そして、カラー液晶表示部６に図２２に示す「天ぷらあたため」スタート時の画面が表示された状態で、あたためスタートキー７４を押すと、過熱蒸気を用いた加熱調理が始まる。
【０１３２】
このように、選択したメニューのスタート時に「水タンク」の文字と水滴の絵が水色で表示されることによって、調理集などの本を見なくとも選択したメニューが水を用いた加熱調理であることがユーザーに容易に認識でき、水無しのまま調理をスタートすることも防止することができる。
【０１３３】
上記構成の加熱調理器に用いたれた表示装置によれば、制御装置２００によって、ユーザーの指(またはペン状物体)の接触により操作されたタッチパネル６２から受けた互換操作信号に基づいて、カラー液晶表示部６の一画面(図１２に示す並べ替えのための画面)に同時に表示した複数の選択肢である１６通りのメニューを表す複数の画像のうちの１つのメニュー(第１選択肢)を表す第１画像(第１表示位置に表示)と、上記複数のメニューのうちの他のメニュー(第２選択肢)を表す第２画像(第２表示位置に表示)とを互換する。このように、タッチパネル６２に対するユーザーの指の接触による簡単な操作によって、カラー液晶表示部６に表示された複数のメニューの表示順を容易に並べ替えることができる。
【０１３４】
また、選択肢同時表示制御部２００aによりカラー液晶表示部６の画面に表示された複数のメニューを表す画像のうちの１つのメニュー(第１選択肢)を表す第１画像に対して指を接触させて、メニュー(第１選択肢)を表す第１画像に接触した状態で指をカラー液晶表示部６の画面上で移動させたとき、タッチパネル６２から受けた互換操作信号に基づいて、選択肢移動制御部２００bによって、メニュー(第１選択肢)を表す第１画像をカラー液晶表示部６の画面上で移動させる。そして、選択肢移動制御部２００bにより移動したメニュー(第１選択肢)を表す第１画像の主たる部分が、複数のメニューのうちの他のメニュー(第２選択肢)を表す第２画像上に重なった状態で、タッチパネル６２から指が離れたとき、画像互換制御部２００cによって、第１表示位置に表示されたメニュー(第１選択肢)を表す第１画像と第２表示位置に表示されたメニュー(第２選択肢)を表す第２画像とを互換する。これにより、タッチパネル６２に対するユーザーの指の接触による簡単な操作によって、カラー液晶表示部６に表示された複数のメニューのうちの第１表示位置に表示された第１選択肢のメニューを表す第１画像と第２表示位置に表示された第２選択肢のメニューを表す第２画像とを容易に互換でき、この互換操作を繰り返すことで、複数の選択肢の表示順を容易に並べ替えることができる。
【０１３５】
なお、移動中のメニュー(第１選択肢)を表す第１画像のサイズを変えない場合は、メニュー(第１選択肢)を表す第１画像の主たる部分だけでなく、メニュー(第１選択肢)を表す第１画像の全部が他のメニュー(第２選択肢)を表す第２画像上に重なった状態で表示位置を入れ替えるようにしてもよい。
【０１３６】
また、複数のメニューのうちのメニュー(第１選択肢)の移動先であるメニュー(第２選択肢)は、選択肢の要件が未登録であってもよく、ユーザーの指の接触により操作されたタッチパネル６２から受けた互換操作信号に基づいて、カラー液晶表示部６の一画面に同時に表示したメニュー(第１選択肢)を表す第１画像の表示位置と要件が未登録のメニュー(第２選択肢)を表す第２画像とを入れ替え可能とする。これによって、第１選択肢のメニューの移動先の選択範囲が広がり、操作性が向上する。
【０１３７】
また、複数のメニューのうちの移動元である第１選択肢のメニューが、要件が未登録である選択肢を含まない、すなわち、未登録のメニューは移動元として移動できないようにすることによって、誤った操作などによる不必要な移動を抑制でき、操作性が向上する。
【０１３８】
また、タッチパネル６２から受けた操作信号に基づいて、ユーザーがお気に入りのメニューを登録・変更するための「わが家のお気に入り」の第１画面〜第４画面に表示される複数のメニュー表示領域に対して、お気に入り登録部２００dによりユーザーのお気に入りのメニューの要件を登録する。これにより、カラー液晶表示部６の一画面に表示する複数のメニュー表示領域に対してユーザーの希望するメニューを容易に登録でき、お気に入りの選択肢の中から選択される頻度の高い選択肢を登録して選び出すことが可能となるので、利便性が向上する。
【０１３９】
また、選択肢移動制御部２００bが第１選択肢のメニューを表す第１画像をカラー液晶表示部６の画面上で移動させているとき、第１選択肢のメニューを表す第１画像が移動前の元の第１表示位置にあるときよりも第１選択肢のメニューを表す第１画像の表示サイズを大きくすることによって、移動中に指により一部が隠れてしまう第１選択肢のメニューを表す第１画像の視認性を向上できる。
【０１４０】
また、移動した第１選択肢のメニューを表す第１画像の主たる部分または全部が、複数の選択肢のうちの他の第２選択肢であるメニューを表す第２画像上に重なった状態で、選択肢移動制御部２００bにより、第１選択肢のメニューを表す第１画像が重なる第２選択肢のメニューを表す第２画像の色またはコントラストの少なくとも一方を、第１選択肢のメニューを表す第１画像が重なる直前の状態とは異なる状態に変更することによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４１】
また、移動した第１選択肢のメニューを表す第１画像の主たる部分(または全部)が、複数の選択肢のうちの他の第２選択肢であるメニューを表す第２画像上に重なった状態で、枠表示制御部２００eにより、第１選択肢のメニューを表す第１画像が重なる第２選択肢のメニューを表す第２画像を囲む枠を表示するようにしてもよい。これによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４２】
なお、第２選択肢のメニューを表す第２画像を囲む枠を表示するのと同時に、第２選択肢のメニューを表す第２画像の色またはコントラストの少なくとも１つを、第１選択肢のメニューを表す第１画像が重なる直前の状態とは異なる状態に変更してもよい。
【０１４３】
また、枠表示制御部２００eにより、カラー液晶表示部６の画面に表示された複数のメニューを表す画像のうち、表示位置の移動,要件の登録または要件の変更が行われたメニュー(またはメニュー表示領域)を表す画像に対して、その画像を囲む枠を、表示位置の移動,要件の登録または要件の変更の完了から予め設定された時間表示することによって、複数のメニューを表す画像の中から表示位置の移動,要件の登録または要件の変更が行われた後のメニューを表す画像を目で確認することができ、操作した対象を再確認することにより操作性が向上する。
【０１４４】
また、画像互換制御部２００cにより第１選択肢のメニューを表す第１画像と第２選択肢のメニューを表す第２画像とを互換したとき、枠表示制御部２００eにより、互換後の第１選択肢のメニューを表す第１画像を囲む枠(図１４,図１６のＦＲ-org)を予め設定された時間表示すると共に、互換後の第２選択肢のメニューを表す第２画像を囲む枠(図１４,図１６のＦＲ-brn)を予め設定された時間表示することによって、互換後の第１,第２選択肢のメニューを表す第１,第２画像を目で確認することができ、操作した２つの対象を再確認することにより操作性が向上する。
【０１４５】
また、枠表示制御部２００eによって、互換後の第１選択肢のメニューを表す第１画像を囲む枠(図１４,図１６のＦＲ-org)と、互換後の第２選択肢のメニューを表す第２画像を囲む枠(図１４,図１６のＦＲ-brn)とを、異なる色で表示することによって、互換後の第１選択肢のメニューを表す第１画像と第２選択肢のメニューを表す第２画像とを区別して視認でき、操作した２つの対象を再確認することにより操作性がより向上する。
【０１４６】
なお、互換後の第１選択肢のメニューを表す第１画像を囲む枠と、互換後の第２選択肢のメニューを表す第２画像を囲む枠とを、異なるパターンの少なくとも一方で表示してもよいし、異なる色と異なるパターンとを組み合わせても同様の効果が得られる。
【０１４７】
また、タッチパネル６２から受けた操作信号に基づいて、選択肢登録変更制御部２００fによって、選択肢同時表示制御部２００aによりカラー液晶表示部６の一画面に画像が同時に表示される複数のメニューに対して、図８〜図１１の第１画面〜第２画面において登録または変更したとき、枠表示制御部２００eにより、登録または変更後のメニューを表す画像を囲む枠を予め設定された時間表示することによって、登録または変更後のメニューを目で確認することができ、操作した対象を再確認することにより操作性がより向上する。
【０１４８】
また、選択肢同時表示制御部２００aによりカラー液晶表示部６の一画面に画像が同時に表示される１６通りのメニューを４つのグループに分割して、タッチパネル６２から受けた操作信号に基づいて、グループ表示制御部２００gにより、カラー液晶表示部６の各グループに対応する第１画面〜第４画面を切り替えて、各グループのメニューを表す画像を順次表示する。そして、タッチパネル６２から受けた操作信号に基づいて、選択肢登録変更制御部２００fにより、グループ表示制御部２００gによりカラー液晶表示部６の各グループに対応する第１画面〜第４画面に画像が表示された各グループのメニューに対して、要件を登録または変更する。このような表示装置において、各グループのメニューの全てをカラー液晶表示部６の一画面(図１２に示す並べ替えのための初期画面)に同時に表示して、タッチパネル６２による簡単な操作によって、カラー液晶表示部６に表示された複数のメニューの表示順を並べ替えることができる。
【０１４９】
また、上記構成の加熱調理器によれば、タッチパネル６２に対するユーザーの指の接触による簡単な操作によって、カラー液晶表示部６に表示された複数のメニューの表示順を容易に並べ替えることができる。
【０１５０】
また、上記加熱調理器では、お気に入りメニュー等の予め加熱調理器本体に登録された調理メニューを実行する際に、加熱時間や加熱出力などの各設定条件を適宜変更して実行することが可能となっている。この加熱調理器において、各設定条件を変更して調理を行った調理の終了後に、各設定条件を変更した修正調理条件を本体に保存するかどうかをユーザーに確認する画面にカラー液晶表示部６の画面が遷移する。それによって、各設定条件を変更して行った調理の結果が気に入った場合には、次に同じ調理メニューを選択する際に、修正調理条件を一度の操作で選択可能としており、利便性が向上する。
【０１５１】
上記実施の形態では、加熱調理器に備えられた表示装置について説明したが、表示装置はこれに限らず、他の電子装置などにこの発明の表示装置を適用してもよい。
【０１５２】
また、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【０１５３】
この発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば２〜３％)である状態を指す。
【０１５４】
この発明の具体的な実施の形態について説明したが、この発明は上記実施の形態に限定されるものではなく、この発明の範囲内で種々変更して実施することができる。
【符号の説明】
【０１５５】
１…ケーシング
２…扉
３…ハンドル
４…耐熱ガラス
５…操作パネル
６…カラー液晶表示部
７…ボタン群
８…排気ダクト
９…露受容器
１１…水タンク
１２…蒸気発生装置
１３…加熱庫
１４…循環ユニット
１５…蒸気吸込口
１７…電装部品
１８…循環ファン
１９…ファンモータ
２０…過熱蒸気生成ヒータ
２１…過熱蒸気生成装置
２２…蒸気供給口
２４…第１蒸気吹出口
２５…第２蒸気吹出口
２７…被加熱物
２８…吸込口
３０…トレイ
３４…蒸気供給管
３６…蒸気導入室
３７…モータ
３８…回転アンテナ
３９a,３９b,３９c…係止部
４０…網
６１…カラー液晶パネル
６２…タッチパネル
７１…戻るキー
７２…取り消しキー
７３…手動加熱キー
７４…あたためスタートキー
８０…マグネトロン
１００…蒸気ダクト
１１０…第１ダクト部
１２０…屈曲部
１３０…第２ダクト部
２００…制御装置
２００a…選択肢同時表示制御部
２００b…選択肢移動制御部
２００c…画像互換制御部
２００d…お気に入り登録部
２００e…枠表示制御部
２００f…選択肢登録変更制御部
２００g…グループ表示制御部
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
タッチパネル(６２)を有する表示部(６)と、
ユーザーの指またはペン状物体の接触により上記タッチパネル(６２)が操作されたとき、上記タッチパネル(６２)から受けた操作信号に基づいて上記表示部(６)を制御する制御装置(２００)と
を備え、
上記制御装置(２００)は、
複数の選択肢を２以上のグループに分割して、上記タッチパネルから受けた操作信号に基づいて、上記表示部(６)の上記各グループに対応する２以上の画面を切り替えて、上記各グループの選択肢を表す画像を順次表示させるグループ表示制御部(２００g)と、
上記タッチパネルから受けた操作信号に基づいて、上記グループ表示制御部(２００g)により上記表示部(６)の上記各グループに対応する２以上の画面に画像が表示された上記各グループの選択肢に対して、要件を登録または変更する選択肢登録変更制御部(２００f)と、
上記グループ表示制御部(２００g)により上記表示部(６)の上記各グループに対応する２以上の画面に画像が表示された上記各グループの選択肢を表す画像を縮小した並べ替え用画像の全てを、上記表示部(６)の１つの編集画面に同時に表示させる選択肢同時表示制御部(２００a)と、
上記選択肢同時表示制御部(２００a)により上記表示部(６)の１つの編集画面に同時に表示された上記各グループの選択肢を表す画像を縮小した並べ替え用画像のうちの１つである第１選択肢を表す第１画像に対して上記指または上記ペン状物体を接触させて、上記第１選択肢を表す上記第１画像に接触した状態で上記指または上記ペン状物体を上記表示部(６)の画面上で移動させたとき、上記タッチパネルから受けた操作信号に基づいて、上記第１選択肢を表す上記第１画像を上記表示部(６)の画面上で移動させる選択肢移動制御部(２００b)と、
上記選択肢移動制御部(２００b)により移動した上記第１選択肢を表す上記第１画像の主たる部分または全部が、上記複数の選択肢のうちの他の選択肢である第２選択肢を表す第２画像上に重なった状態で、上記タッチパネルから上記指または上記ペン状物体が離れたとき、上記第１選択肢を表す上記第１画像と上記第２選択肢を表す上記第２画像とを互換する画像互換制御部(２００c)と
を有することを特徴とする表示装置。
【請求項２】
請求項１に記載の表示装置において、
上記第２選択肢は、要件が未登録である選択肢を含むことを特徴とする表示装置。
【請求項３】
請求項１または２に記載の表示装置において、
上記第１選択肢は、要件が未登録である選択肢を含まないことを特徴とする表示装置。
【請求項４】
請求項１から３までのいずれかに記載の表示装置において、
上記制御装置(２００)は、
上記タッチパネル(６２)から受けた操作信号に基づいて、上記複数の選択肢に対して、上記ユーザーのお気に入りの選択肢の要件を登録するお気に入り登録部(２００d)を有することを特徴とする表示装置。
【請求項５】
請求項１から４までのいずれか１つに記載の表示装置において、
上記選択肢移動制御部(２００b)は、
上記第１選択肢を表す画像を上記表示部(６)の画面上で移動させているとき、上記第１選択肢を表す上記第１画像が移動前の元の上記第１表示位置にあるときよりも上記第１選択肢を表す上記第１画像の表示サイズを大きくすることを特徴とする表示装置。
【請求項６】
請求項１から５までのいずれか１つに記載の表示装置において、
上記選択肢移動制御部(２００b)は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更することを特徴とする表示装置。
【請求項７】
請求項１から６までのいずれか１つに記載の表示装置において、
上記制御装置(２００)は、
上記選択肢移動制御部(２００b)により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部(２００e)を有することを特徴とする表示装置。
【請求項８】
請求項１から６までのいずれか１つに記載の表示装置において、
上記制御装置(２００)は、
上記表示部(６)の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部(２００e)を有することを特徴とする表示装置。
【請求項９】
請求項８に記載の表示装置において、
上記枠表示制御部(２００e)は、
上記画像互換制御部(２００c)により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させることを特徴とする表示装置。
【請求項１０】
請求項９に記載の表示装置において、
上記枠表示制御部(２００e)は、
上記互換後の上記第１選択肢を表す画像を囲む枠と、上記互換後の上記第２選択肢を表す画像を囲む枠とを、異なる色または異なるパターンの少なく一方で表示させることを特徴とする表示装置。
【請求項１１】
請求項８に記載の表示装置において、
上記タッチパネル(６２)から受けた操作信号に基づいて、上記選択肢同時表示制御部(２００a)により上記表示部(６)の一画面に画像が同時に表示される上記複数の選択肢のうちの１つの選択肢の要件を登録または変更する選択肢登録変更制御部(２００f)を備え、
上記枠表示制御部(２００e)は、
上記選択肢登録変更制御部(２００f)により上記複数の選択肢のうちの１つの選択肢の要件を登録または変更したとき、登録または変更後の上記選択肢を表す画像を囲む枠を予め設定された時間表示させることを特徴とする表示装置。
【請求項１２】
請求項１から１１までのいずれか１つに記載の表示装置を備えたことを特徴とする加熱調理器。
【手続補正２】
【補正対象書類名】明細書
【補正対象項目名】全文
【補正方法】変更
【補正の内容】
【発明の詳細な説明】
【技術分野】
【０００１】
この発明は、表示装置および加熱調理器に関し、詳しくは、タッチパネルを備えた表示装置およびその表示装置を備えた加熱調理器に関する。
【背景技術】
【０００２】
従来、加熱調理器としては、サーバから調理データが通信ネットワークを介して供給されるものがある(例えば、特開２００３−５０９０７号公報(特許文献１)参照)。この加熱調理器は、記録媒体に保持された記憶データをサーバから供給された調理データと差し換える。
【０００３】
しかしながら、上記加熱調理器では、サーバからの調理データと差し換えられた前の調理データは記録媒体から失われてしまうという問題がある。
【０００４】
そこで、複数のメニューが調理データとして登録された加熱調理器が考えられるが、このような加熱調理器では、表示装置の画面は大きくないため、表示装置の画面に多くのメニューを同時に表示して複数のメニューから選択するということは困難である。
【０００５】
特に、上記加熱調理器では、表示装置の画面が小さいために一画面上の多くのメニューを同時に表示できず、複数のメニューの表示順の並べ替えを行うことが容易にできないという問題があった。
【先行技術文献】
【特許文献】
【０００６】
【特許文献１】特開２００３−５０９０７号公報
【発明の概要】
【発明が解決しようとする課題】
【０００７】
そこで、この発明の課題は、簡単な操作で複数の選択肢の表示順を容易に並べ替えることができる表示装置および加熱調理器を提供することにある。
【課題を解決するための手段】
【０００８】
上記課題を解決するため、この発明の表示装置は、
タッチパネルを有する表示部と、
ユーザーの指またはペン状物体の接触により上記タッチパネルが操作されたとき、上記タッチパネルから受けた操作信号に基づいて上記表示部を制御する制御装置と
を備え、
上記制御装置は、
複数の選択肢を２以上のグループに分割して、上記タッチパネルから受けた操作信号に基づいて、上記表示部の上記各グループに対応する２以上の画面を切り替えて、上記各グループの選択肢を表す画像を順次表示させるグループ表示制御部と、
上記タッチパネルから受けた操作信号に基づいて、上記グループ表示制御部により上記表示部の上記各グループに対応する２以上の画面に画像が表示された上記各グループの選択肢に対して、要件を登録または変更する選択肢登録変更制御部と、
上記グループ表示制御部により上記表示部の上記各グループに対応する２以上の画面に画像が表示された上記各グループの選択肢を表す画像を縮小した並べ替え用画像の全てを、上記表示部の１つの編集画面に同時に表示させる選択肢同時表示制御部と、
上記選択肢同時表示制御部により上記表示部の１つの編集画面に同時に表示された上記各グループの選択肢を表す画像を縮小した並べ替え用画像のうちの１つである第１選択肢を表す第１画像に対して上記指または上記ペン状物体を接触させて、上記第１選択肢を表す上記第１画像に接触した状態で上記指または上記ペン状物体を上記表示部の画面上で移動させたとき、上記タッチパネルから受けた操作信号に基づいて、上記第１選択肢を表す上記第１画像を上記表示部の画面上で移動させる選択肢移動制御部と、
上記選択肢移動制御部により移動した上記第１選択肢を表す上記第１画像の主たる部分または全部が、上記複数の選択肢のうちの他の選択肢である第２選択肢を表す第２画像上に重なった状態で、上記タッチパネルから上記指または上記ペン状物体が離れたとき、上記第１選択肢を表す上記第１画像と上記第２選択肢を表す上記第２画像とを互換する画像互換制御部と
を有することを特徴とする。
【０００９】
上記構成によれば、ユーザーの指またはペン状物体の接触により操作されたタッチパネルから受けた操作信号に基づいて、画像互換制御部によって、選択肢同時表示制御部により表示部の一画面に同時に表示した複数の選択肢を表す複数の画像のうちの１つである第１選択肢を表す第１画像(第１表示位置に表示)と、上記複数の選択肢のうちの他の選択肢である第２選択肢を表す第２画像(第２表示位置に表示)とを互換する。すなわち、第１表示位置に表示されていた第１画像を第２表示位置に表示させると共に、第２表示位置に表示されていた第２画像を第１表示位置に表示させる。このようにして、タッチパネルに対するユーザーの指またはペン状物体の接触による簡単な操作によって、表示部に表示された複数の選択肢の表示順を容易に並べ替えることができる。
【００１０】
【００１１】
また、選択肢同時表示制御部により表示部の一画面に同時に表示された複数の選択肢を表す画像のうちの１つである第１選択肢を表す第１画像に対して指またはペン状物体を接触させて、第１選択肢を表す第１画像に接触した状態で指またはペン状物体を表示部の画面上で移動させたとき、選択肢移動制御部によって、第１選択肢を表す第１画像を表示部の画面上で移動させる。そして、選択肢移動制御部により移動した第１選択肢を表す第１画像の主たる部分または全部が、複数の選択肢のうちの他の選択肢である第２選択肢を表す第２画像上に重なった状態で、タッチパネルから指またはペン状物体が離れたとき、画像互換制御部によって、第１表示位置に表示された第１選択肢を表す第１画像と第２表示位置に表示された第２選択肢を表す第２画像とを互換する。これにより、タッチパネルに対するユーザーの指またはペン状物体の接触による簡単な操作によって、表示部に表示された複数の選択肢のうちの第１表示位置に表示された第１選択肢を表す第１画像と第２表示位置に表示された第２選択肢を表す第２画像とを容易に互換でき、この互換操作を繰り返すことで、複数の選択肢の表示順を容易に並べ替えることができる。
また、選択肢同時表示制御部により表示部の一画面に画像が同時に表示される複数の選択肢を２以上のグループに分割して、タッチパネルから受けた操作信号に基づいて、グループ表示制御部により、表示部の各グループに対応する２以上の画面を切り替えて、各グループの選択肢を表す画像を順次表示させる。そして、タッチパネルから受けた操作信号に基づいて、選択肢登録変更制御部により、グループ表示制御部により表示部の各グループに対応する２以上の画面に画像が表示された各グループの選択肢に対して、要件を登録または変更する。このような、表示部の各グループに対応する２以上の画面を切り替えて、各グループの選択肢を表す画像に対して、選択肢の要件を登録または変更する表示装置において、各グループの選択肢の全てを表示部の一画面に同時に表示して、タッチパネルによる簡単な操作によって、表示部に表示された複数の選択肢の表示順を並べ替えることができる。
【００１２】
また、一実施形態の表示装置では、
上記第２選択肢は、要件が未登録である選択肢を含む。
【００１３】
上記実施形態によれば、複数の選択肢のうちの第１選択肢の移動先である第２選択肢は、要件が未登録であってもよく、ユーザーの指またはペン状物体の接触により操作されたタッチパネルから受けた操作信号に基づいて、表示部の一画面に同時に表示した第１選択肢を表す画像の表示位置と要件が未登録の第２選択肢を表す画像の表示位置とを入れ替え可能とする。これによって、第１選択肢の移動先の選択範囲が広がり、操作性が向上する。
【００１４】
また、一実施形態の表示装置では、
上記第１選択肢は、要件が未登録である選択肢を含まない。
【００１５】
上記実施形態によれば、複数の選択肢のうちの移動元である第１選択肢が、要件が未登録である選択肢を含まない、すなわち、未登録の選択肢は移動元として移動できないようにすることによって、誤った操作などによる不必要な移動を抑制でき、操作性が向上する。
【００１６】
また、一実施形態の表示装置では、
上記制御装置は、
上記タッチパネルから受けた操作信号に基づいて、上記複数の選択肢に対して、上記ユーザーのお気に入りの選択肢の要件を登録するお気に入り登録部を有する。
【００１７】
上記実施形態によれば、タッチパネルから受けた操作信号に基づいて、複数の選択肢に対して、お気に入り登録部によりユーザーのお気に入りの選択肢の要件を登録する。これにより、表示部の一画面に表示する複数の選択肢に対してユーザーの希望する要件を容易に登録でき、お気に入りの選択肢の中から選択される頻度の高い選択肢を登録して選び出すことが可能となるので、利便性が向上する。
【００１８】
また、一実施形態の表示装置では、
上記選択肢移動制御部は、
上記第１選択肢を表す画像を上記表示部の画面上で移動させているとき、上記第１選択肢を表す上記第１画像が移動前の元の上記第１表示位置にあるときよりも上記第１選択肢を表す上記第１画像の表示サイズを大きくする。
【００１９】
上記実施形態によれば、選択肢移動制御部が第１選択肢を表す画像を表示部の画面上で移動させているとき、第１選択肢を表す第１画像が移動前の元の第１表示位置にあるときよりも第１選択肢を表す第１画像の表示サイズを大きくすることによって、移動中に指またはペン状物体により一部が隠れてしまう第１選択肢を表す画像の視認性を向上できる。
【００２０】
また、一実施形態の表示装置では、
上記選択肢移動制御部は、
移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像の色またはコントラストの少なくとも一方を、上記第１選択肢を表す上記第１画像が重なる直前の状態とは異なる状態に変更する。
【００２１】
上記実施形態によれば、移動した第１選択肢を表す第１画像の主たる部分または全部が、複数の選択肢のうちの他の選択肢である第２選択肢を表す第２画像上に重なった状態で、選択肢移動制御部により、第１選択肢を表す第１画像が重なる第２選択肢を表す第２画像の色またはコントラストの少なくとも一方を、第１選択肢を表す第１画像が重なる直前の状態とは異なる状態に変更することによって、指またはペン状物体をタッチパネルから離す前に第１選択肢を表す第１画像と入れ替わる第２選択肢を表す第２画像がどれであるかを容易に認識することが可能となり、確実な入れ替え操作が行えるので、操作性が向上する。
【００２２】
また、一実施形態の表示装置では、
上記制御装置は、
上記選択肢移動制御部により移動した上記第１選択肢を表す上記第１画像の主たる部分または全部が、上記複数の選択肢のうちの他の選択肢である上記第２選択肢を表す上記第２画像上に重なった状態で、上記第１選択肢を表す上記第１画像が重なる上記第２選択肢を表す上記第２画像を囲む枠を表示させる枠表示制御部を有する。
【００２３】
上記実施形態によれば、選択肢移動制御部により移動した第１選択肢を表す第１画像の主たる部分または全部が、複数の選択肢のうちの他の選択肢である第２選択肢を表す第２画像上に重なった状態で、枠表示制御部により、第１選択肢を表す第１画像が重なる第２選択肢を表す第２画像を囲む枠を表示させることによって、指またはペン状物体をタッチパネルから離す前に第１選択肢を表す第１画像と入れ替わる第２選択肢を表す第２画像がどれであるかを容易に認識することが可能となり、確実な互換操作が行えるので、操作性が向上する。
【００２４】
また、一実施形態の表示装置では、
上記制御装置は、
上記表示部の画面に表示された上記複数の選択肢を表す画像のうち、表示位置の移動,要件の登録または要件の変更が行われた選択肢を表す画像に対して、その画像を囲む枠を、上記表示位置の移動,上記要件の登録または上記要件の変更の完了から予め設定された時間表示させる枠表示制御部を有する。
【００２５】
上記実施形態によれば、制御装置の枠表示制御部により、表示部の画面に表示された上記複数の選択肢を表す画像のうち、表示位置の移動,要件の登録または要件の変更が行われた選択肢を表す画像に対して、その画像を囲む枠を、表示位置の移動,要件の登録または要件の変更の完了から予め設定された時間表示させることによって、複数の選択肢を表す画像の中から表示位置の移動,要件の登録または要件の変更が行われた後の選択肢を表す画像を目で確認することができ、操作した対象を再確認することにより操作性が向上する。
【００２６】
また、一実施形態の表示装置では、
上記枠表示制御部は、
上記画像互換制御部により上記第１選択肢を表す上記第１画像と上記第２選択肢を表す上記第２画像とを互換したとき、互換後の上記第１選択肢を表す上記第１画像を囲む枠を予め設定された時間表示させると共に、互換後の上記第２選択肢を表す上記第２画像を囲む枠を予め設定された時間表示させる。
【００２７】
上記実施形態によれば、画像互換制御部により第１選択肢を表す第１画像と第２選択肢を表す第２画像とを互換したとき、枠表示制御部により、互換後の第１選択肢を表す第１画像を囲む枠を予め設定された時間表示させると共に、互換後の第２選択肢を表す第１画像を囲む枠を予め設定された時間表示させることによって、互換後の第１,第２選択肢を表す第１,第２画像を目で確認することができ、操作した２つの対象を再確認することにより操作性が向上する。
【００２８】
また、一実施形態の表示装置では、
上記枠表示制御部は、
上記互換後の上記第１選択肢を表す画像を囲む枠と、上記互換後の上記第２選択肢を表す画像を囲む枠とを、異なる色または異なるパターンの少なくとも一方で表示させる。
【００２９】
上記実施形態によれば、枠表示制御部によって、互換後の第１選択肢を表す画像を囲む枠と、互換後の第２選択肢を表す画像を囲む枠とを、異なる色または異なるパターンの少なくとも一方で表示させることによって、互換後の第１選択肢を表す画像と第２選択肢を表す画像とを区別して視認でき、操作した２つの対象を再確認することにより操作性がより向上する。
【００３０】
また、一実施形態の表示装置では、
上記タッチパネルから受けた操作信号に基づいて、上記選択肢同時表示制御部により上記表示部の一画面に画像が同時に表示される上記複数の選択肢のうちの１つの選択肢の要件を登録または変更する選択肢登録変更制御部を備え、
上記枠表示制御部は、
上記選択肢登録変更制御部により上記複数の選択肢のうちの１つの選択肢の要件を登録または変更したとき、登録または変更後の上記選択肢を表す画像を囲む枠を予め設定された時間表示させる。
【００３１】
上記実施形態によれば、タッチパネルから受けた操作信号に基づいて、選択肢登録変更制御部によって、選択肢同時表示制御部により表示部の一画面に画像が同時に表示される複数の選択肢のうちの１つの選択肢の要件を登録または変更する。そして、上記選択肢登録変更制御部により複数の選択肢のうちの１つの選択肢の要件を登録または変更したとき、枠表示制御部により、登録または変更後の選択肢を表す画像を囲む枠を予め設定された時間表示させる。これによって、登録または変更後の選択肢を目で確認することができ、操作した対象を再確認することにより操作性がより向上する。
【００３２】
【００３３】
【００３４】
また、この発明の加熱調理器では、
上記のいずれか１つに記載の表示装置を備えたことを特徴とする。
【００３５】
上記構成によれば、タッチパネルに対するユーザーの指またはペン状物体の接触による簡単な操作によって、表示部に表示された複数の選択肢、例えば調理メニューの表示順を容易に並べ替えることができる。
【発明の効果】
【００３６】
以上より明らかなように、この発明の表示装置によれば、簡単な操作で複数の選択肢の表示順を容易に並べ替えることができる表示装置を実現することができる。
【００３７】
また、この発明の加熱調理器によれば、簡単な操作によって、表示部に表示された複数の選択肢、例えば調理メニューの表示順を容易に並べ替えることができる加熱調理器を実現することができる。
【図面の簡単な説明】
【００３８】
【図１】図１はこの発明の実施の一形態の表示装置を備えた加熱調理器の正面斜視図である。
【図２】図２は上記加熱調理器の縦断面の模式図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶表示部にトップ操作画面が表示された操作パネルの正面図である。
【図７】図７は上記カラー液晶表示部に表示されたトップ操作画面を示す図である。
【図８】図８は上記カラー液晶表示部に表示された「わが家のお気に入り」の第１画面を示す図である。
【図９】図９は上記「わが家のお気に入り」の第２画面を示す図である。
【図１０】図１０は上記「わが家のお気に入り」の第３画面を示す図である。
【図１１】図１１は上記「わが家のお気に入り」の第４画面を示す図である。
【図１２】図１２は上記カラー液晶表示部に表示された並べ替えのための初期画面を示す図である。
【図１３】図１３は上記カラー液晶表示部に表示された特定のメニューを移動中の表示画面を示す図である。
【図１４】図１４は上記特定のメニューを移動させて他のメニューと互換した直後の表示画面を示す図である。
【図１５】図１５は図１２の表示状態から特定のメニューを移動させた状態の表示画面を示す図である。
【図１６】図１６は上記特定のメニューを移動させて未登録のものと互換した直後の表示画面を示す図である。
【図１７】図１７は上記加熱調理器の制御装置の画面制御の動作を説明するためのフローチャートである。
【図１８】図１８は図１７に続くフローチャートである。
【図１９】図１９は図１８に続くフローチャートである。
【図２０】図２０は図１９に続くフローチャートである。
【図２１】図２１は図２０に続くフローチャートである。
【図２２】図２２は上記カラー液晶表示部に表示された「天ぷらあたため」スタート時の画面を示す図である。
【発明を実施するための形態】
【００３９】
以下、この発明の表示装置および加熱調理器を図示の実施の形態により詳細に説明する。
【００４０】
図１はこの発明の実施の一形態の表示装置を備えた加熱調理器の正面斜視図を示している。
【００４１】
この実施の形態の加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００４２】
図２は上記加熱調理器の縦断面の模式図を示している。図２に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００４３】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００４４】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００４５】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００４６】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００４７】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００４８】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００４９】
また、加熱庫１３の下部にはマグネトロン８０(図５に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００５０】
また、ケーシング１内の下側には、冷却ファン部(図示せず)と、電装部品１７と、マグネトロン８０(図５に示す)を配置している。電装部品１７は、加熱調理器の各部を駆動する駆動回路やこの駆動回路を制御する制御回路等を有している。
【００５１】
図３は図１に示す操作パネル５を拡大した概略図である。
【００５２】
上記ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。
【００５３】
図４は図３のＦ４−Ｆ４線から見た模式断面図である。
【００５４】
上記カラー液晶表示部６は、カラー液晶パネル６１上にタッチパネル６２を重ねて構成されている。なお、この発明の表示部は、液晶パネルに限らず、有機ＥＬなどの他の表示デバイスを用いてもよく、カラー表示に限らず、白黒表示でもよい。
【００５５】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００５６】
図５は上記加熱調理器の制御ブロック図を示している。この加熱調理器は、マイクロコンピュータと入出力回路などからなる制御装置２００を電装品部１７(図２に示す)内に備えている。制御装置２００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置２００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００５７】
上記制御装置２００は、カラー液晶表示部６の一画面に複数のメニューを表す複数の画像を同時に表示する選択肢同時表示制御部２００aと、第１選択肢であるメニューを表す画像をカラー液晶表示部６の画面上で移動させる選択肢移動制御部２００bと、第１,第２選択肢である２つのメニューを表す画像を互換する画像互換制御部２００cと、ユーザーのお気に入りのメニューを登録するお気に入り登録部２００dと、メニューの表示位置の移動,登録または変更が完了したメニューを表す画像を囲む枠を表示する枠表示制御部２００eと、メニューを登録または変更する選択肢登録変更制御部２００fと、カラー液晶表示部６のお気に入りメニューが登録された４つのグループに対応する第１画面〜第４画面を切り替えて、各グループのメニューを表す画像を表示するグループ表示制御部２００gとを有する。この制御装置２００と操作パネル５で表示装置を構成している。
【００５８】
なお、この実施の形態では、表示部に表示される複数の選択肢として加熱調理器のメニューを説明しているが、この発明の表示装置は、選択肢として他の選択項目であってもよい。
【００５９】
上記構成の加熱調理器において、過熱蒸気によって加熱調理を行う場合には、図２に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００６０】
そして、加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００６１】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００６２】
ここで、加熱庫１３内の左壁面および右壁面には、図２に示すように、トレイ３０の両端部を係止する係止部３９a,３９b,３９cが上下方向に３段に設けられている。そして、蒸気供給管３４は、上段の係止部３９aよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００６３】
次に、「わが家のお気に入り」について操作パネル５の操作を説明する。
【００６４】
図６はトップ操作画面がカラー液晶表示部６に表示された操作パネルの正面図を示しており、図３と同一の構成部は同一参照番号を付している。また、図７は上記カラー液晶表示部６に表示されたトップ操作画面を拡大して示している。
【００６５】
図７に示すトップ操作画面は、加熱調理器の電源プラグ(図示せず)をコンセントに差し込んだ後、カラー液晶パネル６１が最初に表示する画面である。
【００６６】
上記カラー液晶パネル６１のトップ操作画面には画像Ｇ１〜Ｇ８,Ｇ９Ａ,Ｇ９Ｂが表示される。画像Ｇ１は、冷えた料理等を温めるときに選択すべき画像であり、エビフライの絵と、「あたためる」の文字とを含んでいる。画像Ｇ２は、蒸し物や煮物を作るときに選択すべき画像であり、鍋および蒸籠の絵と、「蒸す・煮る」の文字とを含んでいる。画像Ｇ３は、料理集内の３００種類以上の料理から希望の料理を探すときに選択すべき画像であり、本の絵と、「お料理集から選ぶ」の文字とを含んでいる。画像Ｇ４は、牛乳や酒を適温に温めるときに選択すべき画像であり、コップおよび徳利の絵と、「牛乳」および「酒のかん」の文字を含んでいる。画像Ｇ５は、焼き物およびフライ物を作るときに選択すべき画像であり、ローストチキンの絵と、「焼く・フライ」の文字とを含んでいる。画像Ｇ６は、健康サポートメニューを使いたいときに選択すべき画像であり、元気な人をイメージさせる絵と、「健康サポートメニュー」の文字とを含んでいる。画像Ｇ７は、我が家のお気に入りの料理を作るときに選択すべき画像であり、押しピンの絵と、「わが家のお気に入り」の文字とを含んでいる。画像Ｇ８は、冷凍食材等を解凍するときに選択すべき画像であり、雪の結晶の絵と、「解凍する」の文字とを含んでいる。
【００６７】
また、画像Ｇ９Ａは、代表的なメニューを調理するときの基本的な操作を説明する「ヘルシオ教室」を見たいときに選択すべき画像であり、画像Ｇ９Ｂは、設定やお手入れ(除菌など)を行いたいときに選択すべき画像である(「ヘルシオ」は登録商標)。ここで、「ヘルシオ教室」とは、代表的なメニューを調理するときの基本的な操作をカラー液晶表示部６に表示して説明する。
【００６８】
このような構成の初期画面が表示されているときに、ユーザーが、画像Ｇ７に重なるタッチパネル６２の一部にタッチすると、カラー液晶パネル６１の画面は初期画面から「わが家のお気に入り」画面に切り換わる。つまり、ユーザーの画像Ｇ７の選択により、カラー液晶パネル６１が図８に示す「わが家のお気に入り」画面を表示する。
【００６９】
図８はカラー液晶表示部６に表示された「わが家のお気に入り」の第１画面を示している。この「わが家のお気に入り」の第１画面は、図８に示すように、上側に４つの画像Ｇ１０(「１」),Ｇ２０(「２」),Ｇ３０(「３」),Ｇ４０(「４」)が横方向に間隔をあけて表示されている。図８では、画像Ｇ１０の「１」の背景色が他の画像Ｇ２０,Ｇ３０,Ｇ４０よりも濃く表示されて、第１画面であることを示している。また、画面の中央部の主たる部分を分割した４つのメニュー表示領域(縦２×横２)に、メニュー番号,料理名および料理の写真を含む画像Ｇ１１,Ｇ１２,Ｇ１３,Ｇ１４が夫々表示されている。図８では、４つのメニュー表示領域のうち、左上表示領域は画像Ｇ１１(メニュー番号「００２」,料理名「天ぷらあたため」)、左下表示領域は画像Ｇ１２(メニュー番号「００７」,料理名「中華まんあたため」)、右上表示領域は画像Ｇ１３(メニュー番号「００３」,料理名「フライあたため」)、右下表示領域は画像Ｇ１４(「未登録」)となっている。
【００７０】
また、上記４つのメニュー表示領域の下側に、画像Ｇ１５(「並べ替え」)、画像Ｇ１６(「登録変更」)、画像Ｇ１７(「＞」「次へ」)が横方向に並んで表示されている。
【００７１】
そして、画像Ｇ１７(「＞」「次へ」)を指でタッチして選択すると、図９に示す「わが家のお気に入り」の第２画面に表示が切り替わる。
【００７２】
図９では、画像Ｇ２０の「２」の背景色が他の画像Ｇ１０,Ｇ３０,Ｇ４０よりも濃く表示されて、第２画面であることを示している。また、図９では、４つのメニュー表示領域のうち、左上表示領域は画像Ｇ２１(メニュー番号「０７２」,料理名「蒸し青野菜」)、左下表示領域は画像Ｇ２２(メニュー番号「０１６」,料理名「鶏の照り焼き」)、右上表示領域は画像Ｇ２３(メニュー番号「０５４」,料理名「からあげ(鶏もも)」)、右下表示領域は画像Ｇ２４(メニュー番号「０４０」, 料理名「塩ざけ塩さば」)となっている。なお、上記４つのメニュー表示領域の下側に、画像Ｇ１８(「＜」「前へ」)、画像Ｇ１６(「登録変更」)、画像Ｇ１７(「＞」「次へ」)が表示されている。
【００７３】
次に、画像Ｇ１７(「＞」「次へ」)を指でタッチして選択すると、図１０に示す「わが家のお気に入り」の第３画面に表示が切り替わる。一方、画像Ｇ１８(「＜」「前へ」)を指でタッチして選択すると、図８に示す「わが家のお気に入り」の第１画面に戻る。
【００７４】
図１０では、画像Ｇ３０の「３」の背景色が他の画像Ｇ１０,Ｇ２０,Ｇ４０よりも濃く表示されて、第３画面であることを示している。また、図１０では、４つのメニュー表示領域のうち、左上表示領域は画像Ｇ３１(メニュー番号「０２９」,料理名「グラタン」)、左下表示領域は画像Ｇ３２(メニュー番号「０５１」,料理名「焼きいも」)、右上表示領域は画像Ｇ３３(メニュー番号「０６９」,料理名「とんかつ」)、右下表示領域は画像Ｇ３４(メニュー番号「１８６」,「茶わん蒸し」)となっている。
【００７５】
次に、画像Ｇ１７(「＞」「次へ」)を指でタッチして選択すると、図１１に示す「わが家のお気に入り」の第４画面に表示が切り替わる。一方、画像Ｇ１８(「＜」「前へ」)を指でタッチして選択すると、図９に示す「わが家のお気に入り」の第２画面に戻る。
【００７６】
図１１では、画像Ｇ４０の「４」の背景色が他の画像Ｇ１０,Ｇ２０,Ｇ３０よりも濃く表示されて、第４画面であることを示している。また、図１１では、４つのメニュー表示領域の画像Ｇ４１〜４４はいずれも「未登録」となっている。
【００７７】
次に、画像Ｇ１７(「＞」「次へ」)を指でタッチして選択すると、図８に示す「わが家のお気に入り」の第１画面に表示が切り替わる。一方、画像Ｇ１８(「＜」「前へ」)を指でタッチして選択すると、図１０に示す「わが家のお気に入り」の第３画面に戻る。なお、図１１に示す「わが家のお気に入り」の第４画面において、画像Ｇ１７(「＞」「次へ」)は表示せず、表示画面の変更は、画像Ｇ１８(「＜」「前へ」)の選択によって図１０に示す「わが家のお気に入り」の第３画面に戻るだけにしてもよい。
【００７８】
このようにして、この実施形態の加熱調理器では、「わが家のお気に入り」において、グループ表示制御部２００gによって、４つのグループに分けられたメニューを表す画像をカラー液晶表示部６の第１画面〜第４画面に表示し、その４メニュー／１ページの４つの画面において、選択肢登録変更制御部２００fにより最大１６通りのメニューを登録することができる。なお、１つのグループを表す１ページの表示メニュー数やページ数はこれに限らず、加熱調理器の表示部のサイズや機能に応じて適宜設定すればよい。
【００７９】
次に、図８に示す「わが家のお気に入り」の第１画面において、画像Ｇ１５(「並べ替え」)を指でタッチして選択すると、図１２に示す並べ替えのための初期画面がカラー液晶表示部６に表示される。
【００８０】
図１２では、画面の中央部の主たる部分を分割した４つのメニュー表示領域(縦２×横２)に、図８〜図１１に示した第１画面〜第４画面のメニュー番号,料理の写真が夫々表示され、料理名のみ省略されている。詳しくは、左上メニュー表示領域に図８に示した第１画面の画像Ｇ１００が表示され、その画像Ｇ１００の左上側に、第１画面のメニューであることを表す画像Ｇ１０１(「１」)が表示されている。また、右上メニュー表示領域に図９に示した第２画面の画像Ｇ２００が表示され、その画像Ｇ２００の左上側に、第２画面のメニューであることを表す画像Ｇ２０１(「２」)が表示されている。また、左下メニュー表示領域に図１０に示した第３画面の画像Ｇ３００が表示され、その画像Ｇ３００の左上側に、第３画面のメニューであることを表す画像Ｇ３０１(「３」)が表示されている。さらに、右下メニュー表示領域に図１１に示した第４画面の画像Ｇ４００が表示され、その画像Ｇ４００の左上側に、第４画面のメニューであることを表す画像Ｇ４０１(「４」)が表示されている。
【００８１】
これにより、カラー液晶表示部６の一画面に最大で１６通りのメニューを表す画像を同時に表示できる。
【００８２】
また、図１２の画面の上側には「メニューをタッチしたまま移動させると並べ替えができます」が表示され、下側には「並べ替えが終わったら「完了」を押して下さい」が表示されている。図１２に示す画面の右下側に、画像Ｇ５０(「完了」)が表示されている。
【００８３】
なお、図１２の並べ替えのための画面において、４つのメニュー表示領域に表示された１６通りのメニュー(未登録を含む)に対して、画像(「登録・変更」)を追加して登録・変更を行うようにしてもよい。
【００８４】
〔メニューの並べ替えの例〕
例えば、図１２に示す左上メニュー表示領域の右上側である第１表示位置に表示された第１画面の画像Ｇ１１３(図８における画像Ｇ１３(メニュー番号「００３」,料理名「フライあたため」))と、右上メニュー表示領域の右下側である第２表示位置に表示された第２画面の画像Ｇ２２４(図９における画像Ｇ２４(メニュー番号「０４０」,料理名「塩ざけ塩さば」))とを互換するすなわち入れ替える場合、まず、画像Ｇ１１３を指でタッチして選択した後、図１３に示すように、画像Ｇ１１３を指で押さえた状態でカラー液晶表示部６の画面上で指を移動させると、指の動きに応じて画像Ｇ１１３が移動する。
【００８５】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。この実施の形態では、移動中の画像の表示サイズは、移動前よりも縦横寸法を約１０％大きくしている。
【００８６】
次に、移動した画像Ｇ１１３の主たる部分が画像Ｇ２２４上に重なった状態で、カラー液晶表示部６から指を離すと、図１４に示すように、第１表示位置に表示された第１画像である画像Ｇ１１３と、第２表示位置に表示された第２画像である画像Ｇ２２４とが入れ替わる。すなわち、第１画像である画像Ｇ１１３が第２表示位置に表示され、第２画像である画像Ｇ２２４が第１表示位置に表示される。
【００８７】
この画像Ｇ１１３と画像Ｇ２２４とが入れ替わってから予め設定された時間(例えば０．５秒間)、画像Ｇ１１３にはオレンジ色の枠ＦＲ-orgが表示されると共に、画像Ｇ２２４には濃茶色の枠ＦＲ-brnが表示される(図１４では見やすくするために枠ＦＲ-brnを白抜きの点線で示す)。
【００８８】
これにより、どの画像とどの画像が入れ替わったのかが容易に認識できる。
【００８９】
〔メニュー並べ替えの他の例〕
また、他の入れ替え例として、図１２に示す左上メニュー表示領域に表示された第１画面の画像Ｇ１１３(図８における画像Ｇ１３(メニュー番号「００３」,料理名「フライあたため」))と、右下メニュー表示領域に表示された第４画面の画像Ｇ４４４(図１１における画像Ｇ４４(「未登録」))とを入れ替える場合、まず、画像Ｇ１１３を指でタッチして選択した後、図１５に示すように、画像Ｇ１１３を指で押さえた状態でカラー液晶表示部６の画面上で指を移動させると、指の動きに応じて画像Ｇ１１３が移動する。
【００９０】
この移動中の画像Ｇ１１３は、移動前の元の表示位置にあるときよりも表示サイズを大きくすると共に、画像Ｇ１１３を囲むオレンジ色の枠ＦＲ-orgを表示することによって、移動中であることが容易に認識できるようにしている。
【００９１】
次に、移動した画像Ｇ１１３の主たる部分が画像Ｇ４４４上に重なった状態で、カラー液晶表示部６から指を離すと、図１６に示すように、第１表示位置に表示された第１画像である画像Ｇ１１３と、第２表示位置に表示された第２画像である画像Ｇ４４４とが入れ替わって表示される。
【００９２】
この画像Ｇ１１３と画像Ｇ４４４とが入れ替わってから予め設定された時間(例えば０．５秒間)、画像Ｇ１１３にはオレンジ色の枠ＦＲ-orgが表示されると共に、画像Ｇ４４４には濃茶色の枠ＦＲ-brnが表示される(図１４では見やすくするために枠ＦＲ-brnを白抜きの点線で示す)。
【００９３】
なお、図８〜図１１の第１画面〜第４画面において、４つのメニュー表示領域に表示された画像のいずれか１つを選択し、画像Ｇ１６(「登録変更」)を指でタッチして選択すると、登録変更の処理に移る。そして、登録変更の処理では、お気に入り登録部２００dによって、例えば、登録済のメニューが選択されていて他のメニューと入れ替えて登録する場合や未登録が選択されていて新たにメニューを登録する場合は、メニュー番号やカテゴリ(材料別など)から所望のメニューを選択して「決定」(図示せず)を選択することにより登録を行う。また、登録変更の処理に移る直前に選択したメニューを削除する場合は、「削除」(図示せず)を指でタッチして選択することにより削除される。このようにして、登録変更の処理が終わると、第１画面〜第４画面のいずれかの表示に戻る。このとき、枠表示制御部２００eにより、登録または変更が完了したメニューを表す画像を囲む枠(図示せず)を予め設定された時間(例えば０．５秒間)表示する。
【００９４】
図１７〜図２１は制御装置２００の画面制御の動作を説明するためのフローチャートである。
【００９５】
この図１７〜図２１に示す画面制御は、ユーザーがお気に入りのメニューを並べ替えおよび登録・変更するための画面制御である。なお、上記画面制御は、カラー液晶パネル６１が図７に示すトップ操作画面を表示している状態でスタートするものとする。
【００９６】
まず、制御装置２００の画面制御の処理がスタートすると、図１７に示すステップＳ１において、カラー液晶パネル６１に図７に示すトップ操作画面を表示する。
【００９７】
次に、ステップＳ２に進み、選択入力の有ると判定すると、ステップＳ３に進む一方、選択入力がないと判別するとステップＳ２を繰り返す。つまり、ステップＳ２では、画像Ｇ１〜Ｇ８,Ｇ９Ａ,Ｇ９Ｂ(図７に示す)に重なるタッチパネル６２(図４に示す)の一部に対して、タッチが有ったか否かを判定する。
【００９８】
次に、ステップＳ３で「わが家のお気に入り」(画像Ｇ７)が選択されたと判定すると、ステップＳ４に進む一方、「わが家のお気に入り」以外の他の項目が選択されたと判定すると、他の選択項目の処理を行う(画像Ｇ１〜Ｇ６,Ｇ８,Ｇ９Ａ,Ｇ９Ｂ)。
【００９９】
-- 第１画面 --
次に、ステップＳ４では、図８に示す「わが家のお気に入り」の第１画面をカラー液晶パネル６１に表示する。
【０１００】
次に、ステップＳ５に進み、「＞次へ」(画像Ｇ１７)が選択されたと判定すると、図１８に示すステップＳ１１に進む一方、「＞次へ」が選択されていないと判定すると、ステップＳ６に進む。
【０１０１】
ステップＳ６で「登録変更」(画像Ｇ１６)が選択されたと判定すると、登録変更の処理に進む一方、「登録変更」が選択されていないと判定すると、ステップＳ７に進む。
【０１０２】
そして、ステップＳ７で「並べ替え」(画像Ｇ１５)が選択されたと判定すると、図２１に示すステップＳ４１に進む一方、「並べ替え」が選択されていないと判定すると、ステップＳ５に戻り、ステップＳ５〜Ｓ７を繰り返す。
【０１０３】
-- 第２画面 --
ステップＳ５において「＞次へ」(画像Ｇ１７)が選択されたと判定して、図１８に示すステップＳ１１に進むと、図９に示す「わが家のお気に入り」の第２画面をカラー液晶パネル６１に表示する。
【０１０４】
次に、ステップＳ１２に進み、「＞次へ」が選択されたと判定すると、図１９に示すステップＳ２１に進む一方、「＞次へ」が選択されていないと判定すると、ステップＳ１３に進む。
【０１０５】
ステップＳ１３で「登録変更」(画像Ｇ１６)が選択されたと判定すると、登録変更の処理に進む一方、「登録変更」が選択されていないと判定すると、ステップＳ１４に進む。
【０１０６】
そして、ステップＳ１４で「＜前へ」(画像Ｇ１８)が選択されたと判定すると、図１７に示すステップＳ４に進む一方、「＜前へ」が選択されていないと判定すると、ステップＳ１２に戻り、ステップＳ１２〜Ｓ１４を繰り返す。
【０１０７】
-- 第３画面 --
ステップＳ１２において「＞次へ」が選択されたと判定して、図１９に示すステップＳ２１に進むと、図１０に示す「わが家のお気に入り」の第３画面をカラー液晶パネル６１に表示する。
【０１０８】
次に、ステップＳ２２に進み、「＞次へ」(画像Ｇ１７)が選択されたと判定すると、図２０に示すステップＳ３１に進む一方、「＞次へ」が選択されていないと判定すると、ステップＳ２３に進む。
【０１０９】
ステップＳ２３で「登録変更」(画像Ｇ１６)が選択されたと判定すると、登録変更の処理に進む一方、「登録変更」が選択されていないと判定すると、ステップＳ２４に進む。
【０１１０】
そして、ステップＳ２４で「＜前へ」(画像Ｇ１８)が選択されたと判定すると、図１８に示すステップＳ１１に進む一方、「＜前へ」が選択されていないと判定すると、ステップＳ２２に戻り、ステップＳ２２〜Ｓ２４を繰り返す。
【０１１１】
-- 第４画面 --
ステップＳ２２において「＞次へ」が選択されたと判定して、図２０に示すステップＳ３１に進むと、図１１に示す「わが家のお気に入り」の第４画面をカラー液晶パネル６１に表示する。
【０１１２】
次に、ステップＳ３２に進み、「＞次へ」(画像Ｇ１７)が選択されたと判定すると、図１７に示すステップＳ４に戻る一方、「＞次へ」が選択されていないと判定すると、ステップＳ３３に進む。
【０１１３】
ステップＳ３３で「登録変更」(画像Ｇ１６)が選択されたと判定すると、登録変更の処理に進む一方、「登録変更」が選択されていないと判定すると、ステップＳ３４に進む。
【０１１４】
そして、ステップＳ３４で「＜前へ」(画像Ｇ１８)が選択されたと判定すると、図１９に示すステップＳ２１に進む一方、「＜前へ」が選択されていないと判定すると、ステップＳ３２に戻り、ステップＳ３２〜Ｓ３４を繰り返す。
【０１１５】
-- 並べ替えの画面 --
図１７に示すステップＳ７において「並べ替え」(画像Ｇ１５)が選択されたと判定して、図２１に示すステップＳ４１に進むと、選択肢同時表示制御部２００aによって、図１２に示す並べ替えのための初期画面をカラー液晶表示部６に表示する。
【０１１６】
次に、ステップＳ４２に進み、「完了」が選択されたと判定すると、図１７に示すステップＳ４に戻る一方、「完了」が選択されていないと判定すると、ステップＳ４３に進む。
【０１１７】
次に、ステップＳ４３でメニューの選択の有無を判定する。すなわち、カラー液晶表示部６の一画面に同時に表示された複数のメニュー(メニュー数は最大１６)を表す画像に重なるタッチパネル６２(図４に示す)の一部に対して、タッチが有ったか否かを判定する。
【０１１８】
そして、ステップＳ４３でメニューの選択が有ると判定すると、ステップＳ４４に進む一方、メニューの選択がないと判定すると、ステップＳ４２に戻る。
【０１１９】
次に、ステップＳ４４で選択されたメニュー(第１選択肢)が移動したか否かを判定する。すなわち、選択されたメニュー(第１選択肢)を表す画像に重なるタッチパネル６２(図４に示す)の一部を指で接触した状態で、カラー液晶表示部６の画面上を移動したか否かを判定する。
【０１２０】
そして、ステップＳ４４で選択されたメニューが移動したと判定すると、ステップＳ４５に進み、選択肢移動制御部２００bにより移動処理を行う。この移動処理では、選択されたメニューを表す画像が移動前の元の表示位置にあるときよりもの表示サイズを選択肢移動制御部２００bにより大きくすると共に、選択されたメニューを表す画像を囲むオレンジ色の枠ＦＲ-orgを枠表示制御部２００eにより表示する(図１３,図１５参照)。
【０１２１】
次に、ステップＳ４６に進み、移動した選択メニュー(第１選択肢)が他のメニュー(第２選択肢)に重なったか否かを判定する。ここで、移動した選択メニュー(第１選択肢)を表す画像が他の複数のメニューを表す複数の画像に同時に重なっている場合は、他の複数のメニューのうち、移動した選択メニュー(第１選択肢)を表す画像の主たる部分が重なっているメニュー(第２選択肢)が選択メニュー(第１選択肢)と重なっているものとして判定する。
【０１２２】
なお、選択メニュー(第１選択肢)を表す画像の主たる部分が重なるメニュー(第２選択肢)を表す画像は、選択肢移動制御部２００bにより、色(色相,明度,彩度)が変わるか、コントラストが変わるか、例えば網掛けなどの模様の変更などにより、他のメニューと容易に区別できるようにしてもよい。
【０１２３】
そして、ステップＳ４６で移動した選択メニューが他のメニューに重なっていると判定すると、ステップＳ４７に進む一方、移動した選択メニューが他のメニューに重なっていないと判定すると、ステップＳ５０に進む。
【０１２４】
次に、ステップＳ４７で指がタッチパネル６２から離されたと判定すると、ステップＳ４８に進む一方、指がタッチパネル６２から離されていないと判定すると、ステップＳ４５に戻る。
【０１２５】
そして、ステップＳ４８では、画像互換制御部２００cにより互換処理を行った後、ステップＳ４９に進み、枠表示制御部２００eにより枠表示を行って、ステップＳ４２に戻る。この互換処理では、移動した選択メニュー(第１選択肢)を表す第１画像と、その画像の主たる部分が重なっていた他のメニュー(第２選択肢)を表す第２画像とを互換する(図１４,図１６参照)。そして、互いに入れ替えられた選択メニュー(第１選択肢)のオレンジ色の枠ＦＲ-orgと他のメニュー(第２選択肢)の濃茶色の枠ＦＲ-brnを枠表示制御部２００eにより表示する。
【０１２６】
一方、ステップＳ４６で移動した選択メニューが他のメニューに重なっていないと判定して、ステップＳ５０に進み、指がタッチパネル６２から離されたと判定すると、ステップＳ５１に進み、元に戻す処理を行った後、ステップＳ４２に戻る。この元に戻す処理では、移動中の選択メニューを表す画像が移動前の元の表示位置に戻る。
【０１２７】
一方、ステップＳ５０で指がタッチパネル６２から離されていないと判定すると、ステップＳ４５に戻る。
【０１２８】
-- 第１画面からの調理操作の例 --
なお、図８に示す「わが家のお気に入り」の第１画面において、画像Ｇ１１(メニュー番号「００２」,料理名「天ぷらあたため」)を指でタッチして選択した後、あたためスタートキー７４を押すと、図２２に示すカラー液晶表示部６に「天ぷらあたため」スタート時の画面が表示される。
【０１２９】
この図２２に示すカラー液晶表示部６に「天ぷらあたため」スタート時の画面は、左上側に過熱蒸気を用いた加熱であることを示す「ウォーターオーブン」の文字が表示され、その横に「オーブン」の文字が表示され、さらにその下側に「天ぷらのあたため」の文字が表示されている。また、カラー液晶表示部６の画面の中央部分に画像Ｇ６１(「常温冷蔵」)と画像Ｇ６２(「冷凍」)が横方向に並んで表示されている。この「天ぷらあたため」の加熱調理では、あたためる「天ぷら」が常温または冷蔵で保存されたものか、または、冷凍されていたものかによって加熱条件を設定している。そして、この「天ぷらあたため」スタート時の初期画面では、画像Ｇ６１(「常温冷蔵」)がオレンジ色に表示され、画像Ｇ６２(「冷凍」)が白色に表示されて、「常温冷蔵」の天ぷらのあたためモードであることを示している。あたためる「天ぷら」が冷凍されていたものである場合は、画像Ｇ６２(「冷凍」)を指でタッチして選択すると、画像Ｇ６１(「常温冷蔵」)が白色に表示され、画像Ｇ６２(「冷凍」)がオレンジ色に表示されて、「冷凍」の天ぷらのあたためモードになる。
【０１３０】
また、画像Ｇ６１,Ｇ６２の下側に、加熱庫内に網が載せられたトレイを中段に装着した画像Ｇ６３が表示されている。画像Ｇ６３の左側に「中段」の文字と矢印の絵が赤色で表示されてトレイの位置が示されている。さらに、画像Ｇ６３の右側に「水タンク」の文字と水滴の絵が水色で表示され、この「天ぷらあたため」では、水タンク１１内の水を使用されることを表し、水タンク１１内の水の有無についてユーザーの注意を喚起するようにしている。
【０１３１】
そして、カラー液晶表示部６に図２２に示す「天ぷらあたため」スタート時の画面が表示された状態で、あたためスタートキー７４を押すと、過熱蒸気を用いた加熱調理が始まる。
【０１３２】
このように、選択したメニューのスタート時に「水タンク」の文字と水滴の絵が水色で表示されることによって、調理集などの本を見なくとも選択したメニューが水を用いた加熱調理であることがユーザーに容易に認識でき、水無しのまま調理をスタートすることも防止することができる。
【０１３３】
上記構成の加熱調理器に用いたれた表示装置によれば、制御装置２００によって、ユーザーの指(またはペン状物体)の接触により操作されたタッチパネル６２から受けた互換操作信号に基づいて、カラー液晶表示部６の一画面(図１２に示す並べ替えのための画面)に同時に表示した複数の選択肢である１６通りのメニューを表す複数の画像のうちの１つのメニュー(第１選択肢)を表す第１画像(第１表示位置に表示)と、上記複数のメニューのうちの他のメニュー(第２選択肢)を表す第２画像(第２表示位置に表示)とを互換する。このように、タッチパネル６２に対するユーザーの指の接触による簡単な操作によって、カラー液晶表示部６に表示された複数のメニューの表示順を容易に並べ替えることができる。
【０１３４】
また、選択肢同時表示制御部２００aによりカラー液晶表示部６の画面に表示された複数のメニューを表す画像のうちの１つのメニュー(第１選択肢)を表す第１画像に対して指を接触させて、メニュー(第１選択肢)を表す第１画像に接触した状態で指をカラー液晶表示部６の画面上で移動させたとき、タッチパネル６２から受けた互換操作信号に基づいて、選択肢移動制御部２００bによって、メニュー(第１選択肢)を表す第１画像をカラー液晶表示部６の画面上で移動させる。そして、選択肢移動制御部２００bにより移動したメニュー(第１選択肢)を表す第１画像の主たる部分が、複数のメニューのうちの他のメニュー(第２選択肢)を表す第２画像上に重なった状態で、タッチパネル６２から指が離れたとき、画像互換制御部２００cによって、第１表示位置に表示されたメニュー(第１選択肢)を表す第１画像と第２表示位置に表示されたメニュー(第２選択肢)を表す第２画像とを互換する。これにより、タッチパネル６２に対するユーザーの指の接触による簡単な操作によって、カラー液晶表示部６に表示された複数のメニューのうちの第１表示位置に表示された第１選択肢のメニューを表す第１画像と第２表示位置に表示された第２選択肢のメニューを表す第２画像とを容易に互換でき、この互換操作を繰り返すことで、複数の選択肢の表示順を容易に並べ替えることができる。
【０１３５】
なお、移動中のメニュー(第１選択肢)を表す第１画像のサイズを変えない場合は、メニュー(第１選択肢)を表す第１画像の主たる部分だけでなく、メニュー(第１選択肢)を表す第１画像の全部が他のメニュー(第２選択肢)を表す第２画像上に重なった状態で表示位置を入れ替えるようにしてもよい。
【０１３６】
また、複数のメニューのうちのメニュー(第１選択肢)の移動先であるメニュー(第２選択肢)は、選択肢の要件が未登録であってもよく、ユーザーの指の接触により操作されたタッチパネル６２から受けた互換操作信号に基づいて、カラー液晶表示部６の一画面に同時に表示したメニュー(第１選択肢)を表す第１画像の表示位置と要件が未登録のメニュー(第２選択肢)を表す第２画像とを入れ替え可能とする。これによって、第１選択肢のメニューの移動先の選択範囲が広がり、操作性が向上する。
【０１３７】
また、複数のメニューのうちの移動元である第１選択肢のメニューが、要件が未登録である選択肢を含まない、すなわち、未登録のメニューは移動元として移動できないようにすることによって、誤った操作などによる不必要な移動を抑制でき、操作性が向上する。
【０１３８】
また、タッチパネル６２から受けた操作信号に基づいて、ユーザーがお気に入りのメニューを登録・変更するための「わが家のお気に入り」の第１画面〜第４画面に表示される複数のメニュー表示領域に対して、お気に入り登録部２００dによりユーザーのお気に入りのメニューの要件を登録する。これにより、カラー液晶表示部６の一画面に表示する複数のメニュー表示領域に対してユーザーの希望するメニューを容易に登録でき、お気に入りの選択肢の中から選択される頻度の高い選択肢を登録して選び出すことが可能となるので、利便性が向上する。
【０１３９】
また、選択肢移動制御部２００bが第１選択肢のメニューを表す第１画像をカラー液晶表示部６の画面上で移動させているとき、第１選択肢のメニューを表す第１画像が移動前の元の第１表示位置にあるときよりも第１選択肢のメニューを表す第１画像の表示サイズを大きくすることによって、移動中に指により一部が隠れてしまう第１選択肢のメニューを表す第１画像の視認性を向上できる。
【０１４０】
また、移動した第１選択肢のメニューを表す第１画像の主たる部分または全部が、複数の選択肢のうちの他の第２選択肢であるメニューを表す第２画像上に重なった状態で、選択肢移動制御部２００bにより、第１選択肢のメニューを表す第１画像が重なる第２選択肢のメニューを表す第２画像の色またはコントラストの少なくとも一方を、第１選択肢のメニューを表す第１画像が重なる直前の状態とは異なる状態に変更することによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４１】
また、移動した第１選択肢のメニューを表す第１画像の主たる部分(または全部)が、複数の選択肢のうちの他の第２選択肢であるメニューを表す第２画像上に重なった状態で、枠表示制御部２００eにより、第１選択肢のメニューを表す第１画像が重なる第２選択肢のメニューを表す第２画像を囲む枠を表示するようにしてもよい。これによって、指をタッチパネル６２から離す前に第１選択肢のメニューを表す第１画像と入れ替わる第２選択肢のメニューを表す第２画像がどれであるかを容易に認識することが可能となり、確実な互換操作が行えるので、操作性が向上する。
【０１４２】
なお、第２選択肢のメニューを表す第２画像を囲む枠を表示するのと同時に、第２選択肢のメニューを表す第２画像の色またはコントラストの少なくとも１つを、第１選択肢のメニューを表す第１画像が重なる直前の状態とは異なる状態に変更してもよい。
【０１４３】
また、枠表示制御部２００eにより、カラー液晶表示部６の画面に表示された複数のメニューを表す画像のうち、表示位置の移動,要件の登録または要件の変更が行われたメニュー(またはメニュー表示領域)を表す画像に対して、その画像を囲む枠を、表示位置の移動,要件の登録または要件の変更の完了から予め設定された時間表示することによって、複数のメニューを表す画像の中から表示位置の移動,要件の登録または要件の変更が行われた後のメニューを表す画像を目で確認することができ、操作した対象を再確認することにより操作性が向上する。
【０１４４】
また、画像互換制御部２００cにより第１選択肢のメニューを表す第１画像と第２選択肢のメニューを表す第２画像とを互換したとき、枠表示制御部２００eにより、互換後の第１選択肢のメニューを表す第１画像を囲む枠(図１４,図１６のＦＲ-org)を予め設定された時間表示すると共に、互換後の第２選択肢のメニューを表す第２画像を囲む枠(図１４,図１６のＦＲ-brn)を予め設定された時間表示することによって、互換後の第１,第２選択肢のメニューを表す第１,第２画像を目で確認することができ、操作した２つの対象を再確認することにより操作性が向上する。
【０１４５】
また、枠表示制御部２００eによって、互換後の第１選択肢のメニューを表す第１画像を囲む枠(図１４,図１６のＦＲ-org)と、互換後の第２選択肢のメニューを表す第２画像を囲む枠(図１４,図１６のＦＲ-brn)とを、異なる色で表示することによって、互換後の第１選択肢のメニューを表す第１画像と第２選択肢のメニューを表す第２画像とを区別して視認でき、操作した２つの対象を再確認することにより操作性がより向上する。
【０１４６】
なお、互換後の第１選択肢のメニューを表す第１画像を囲む枠と、互換後の第２選択肢のメニューを表す第２画像を囲む枠とを、異なるパターンの少なくとも一方で表示してもよいし、異なる色と異なるパターンとを組み合わせても同様の効果が得られる。
【０１４７】
また、タッチパネル６２から受けた操作信号に基づいて、選択肢登録変更制御部２００fによって、選択肢同時表示制御部２００aによりカラー液晶表示部６の一画面に画像が同時に表示される複数のメニューに対して、図８〜図１１の第１画面〜第２画面において登録または変更したとき、枠表示制御部２００eにより、登録または変更後のメニューを表す画像を囲む枠を予め設定された時間表示することによって、登録または変更後のメニューを目で確認することができ、操作した対象を再確認することにより操作性がより向上する。
【０１４８】
また、選択肢同時表示制御部２００aによりカラー液晶表示部６の一画面に画像が同時に表示される１６通りのメニューを４つのグループに分割して、タッチパネル６２から受けた操作信号に基づいて、グループ表示制御部２００gにより、カラー液晶表示部６の各グループに対応する第１画面〜第４画面を切り替えて、各グループのメニューを表す画像を順次表示する。そして、タッチパネル６２から受けた操作信号に基づいて、選択肢登録変更制御部２００fにより、グループ表示制御部２００gによりカラー液晶表示部６の各グループに対応する第１画面〜第４画面に画像が表示された各グループのメニューに対して、要件を登録または変更する。このような表示装置において、各グループのメニューの全てをカラー液晶表示部６の一画面(図１２に示す並べ替えのための初期画面)に同時に表示して、タッチパネル６２による簡単な操作によって、カラー液晶表示部６に表示された複数のメニューの表示順を並べ替えることができる。
【０１４９】
また、上記構成の加熱調理器によれば、タッチパネル６２に対するユーザーの指の接触による簡単な操作によって、カラー液晶表示部６に表示された複数のメニューの表示順を容易に並べ替えることができる。
【０１５０】
また、上記加熱調理器では、お気に入りメニュー等の予め加熱調理器本体に登録された調理メニューを実行する際に、加熱時間や加熱出力などの各設定条件を適宜変更して実行することが可能となっている。この加熱調理器において、各設定条件を変更して調理を行った調理の終了後に、各設定条件を変更した修正調理条件を本体に保存するかどうかをユーザーに確認する画面にカラー液晶表示部６の画面が遷移する。それによって、各設定条件を変更して行った調理の結果が気に入った場合には、次に同じ調理メニューを選択する際に、修正調理条件を一度の操作で選択可能としており、利便性が向上する。
【０１５１】
上記実施の形態では、加熱調理器に備えられた表示装置について説明したが、表示装置はこれに限らず、他の電子装置などにこの発明の表示装置を適用してもよい。
【０１５２】
また、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【０１５３】
この発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば２〜３％)である状態を指す。
【０１５４】
この発明の具体的な実施の形態について説明したが、この発明は上記実施の形態に限定されるものではなく、この発明の範囲内で種々変更して実施することができる。
【符号の説明】
【０１５５】
１…ケーシング
２…扉
３…ハンドル
４…耐熱ガラス
５…操作パネル
６…カラー液晶表示部
７…ボタン群
８…排気ダクト
９…露受容器
１１…水タンク
１２…蒸気発生装置
１３…加熱庫
１４…循環ユニット
１５…蒸気吸込口
１７…電装部品
１８…循環ファン
１９…ファンモータ
２０…過熱蒸気生成ヒータ
２１…過熱蒸気生成装置
２２…蒸気供給口
２４…第１蒸気吹出口
２５…第２蒸気吹出口
２７…被加熱物
２８…吸込口
３０…トレイ
３４…蒸気供給管
３６…蒸気導入室
３７…モータ
３８…回転アンテナ
３９a,３９b,３９c…係止部
４０…網
６１…カラー液晶パネル
６２…タッチパネル
７１…戻るキー
７２…取り消しキー
７３…手動加熱キー
７４…あたためスタートキー
８０…マグネトロン
１００…蒸気ダクト
１１０…第１ダクト部
１２０…屈曲部
１３０…第２ダクト部
２００…制御装置
２００a…選択肢同時表示制御部
２００b…選択肢移動制御部
２００c…画像互換制御部
２００d…お気に入り登録部
２００e…枠表示制御部
２００f…選択肢登録変更制御部
２００g…グループ表示制御部
【国際調査報告】
2012008475.tif 000025
2012008475.tif 000026